(57)【要約】【課題】並列接続された複数のスイッチそれぞれに流れる電流量に偏りが生じることの抑制された電池パックを提供する。【解決手段】電池と電気的に接続される第１給電バスバー５１と第２給電バスバー５２との間で第１開閉部６０ａと第２開閉部６０ｂが並列接続されている。第１給電バスバーと第２給電バスバーそれぞれは本体部５５ｂ，５６ｂと、本体部から分岐した分岐部６６と、分岐部から分かれた複数の端子接続部６７と、を有する。第１開閉部と第２開閉部はそれぞれ第１バスバーの端子接続部に接続される第１接続端子６２と第２バスバーの端子接続部に接続される第２接続端子６３を有する。第１開閉部を介した第１給電バスバーの本体部と第２給電バスバーの本体部との間の通電経路の電気抵抗と、第２開閉部を介した第１給電バスバーの本体部と第２給電バスバーの本体部との間の通電経路の電気抵抗と、が相等しい。【選択図】図１２
2020061351.tif 000002
【特許請求の範囲】
【請求項１】
電池（１０）と、
前記電池と電気的に接続される第１バスバー（５１，５２）および第２バスバー（５２，５３）と、
前記第１バスバーと前記第２バスバーとの間で並列接続される複数のスイッチ（６０ａ，６０ｂ，６０ｃ，６０ｄ）と、を有し、
前記第１バスバーと前記第２バスバーそれぞれは本体部（５５ｂ，５６ｂ，５７ｂ）と、前記本体部から分岐した分岐部（６６）と、前記分岐部から分かれた複数の端子接続部（６７）と、を有し、
複数の前記スイッチはそれぞれ前記第１バスバーの前記端子接続部に接続される第１入出力端子（６２）と、前記第２バスバーの前記端子接続部に接続される第２入出力端子（６３）と、を有し、
複数の前記スイッチのうちの任意の２つを第１スイッチ（６０ａ，６０ｂ）および第２スイッチ（６０ｃ，６０ｄ）とすると、
前記第１スイッチを介した前記第１バスバーの前記本体部と前記第２バスバーの前記本体部との間の通電経路の電気抵抗と、前記第２スイッチを介した前記第１バスバーの前記本体部と前記第２バスバーの前記本体部との間の通電経路の電気抵抗と、が相等しい電池パック。
【請求項２】
前記第１バスバーの有する前記分岐部における、前記本体部との境と、複数の前記端子接続部との境との間の電気抵抗が相等しく、
前記第１バスバーの有する複数の前記端子接続部それぞれの形状が相等しい請求項１に記載の電池パック。
【請求項３】
前記第１バスバーの有する前記分岐部と複数の前記端子接続部は、前記第１バスバーの有する前記分岐部の延びる方向に沿う第１対称軸を介して線対称になっている請求項２に記載の電池パック。
【請求項４】
前記第２バスバーの有する前記分岐部における、前記本体部との境と、複数の前記端子接続部との境との間の電気抵抗が相等しく、
前記第２バスバーの有する複数の前記端子接続部それぞれの形状が相等しい請求項１〜３いずれか１項に記載の電池パック。
【請求項５】
前記第２バスバーの有する前記分岐部と複数の前記端子接続部は、前記第２バスバーの有する前記分岐部の延びる方向に沿う第２対称軸を介して線対称になっている請求項４に記載の電池パック。
【請求項６】
前記第１スイッチの前記第１入出力端子に接続される前記第１バスバーの前記端子接続部と、前記第１スイッチの前記第２入出力端子に接続される前記第２バスバーの前記端子接続部とが所定方向で離間しつつ対向する態様で並んでいる請求項１〜５いずれか１項に記載の電池パック。
【請求項７】
前記所定方向において、前記第１スイッチの前記第２入出力端子に接続される前記第２バスバーの前記端子接続部と、前記第２スイッチの前記第１入出力端子に接続される前記第１バスバーの前記端子接続部とが離間しつつ対向する態様で並んでいる請求項６に記載の電池パック。
【請求項８】
前記第１バスバーの前記本体部と前記第２バスバーの前記本体部それぞれの延びる方向に対して直交する方向で、前記第１バスバーの前記本体部と前記第２バスバーの前記本体部とが隣り合って並んでいる請求項１〜７いずれか１項に記載の電池パック。
【発明の詳細な説明】
【技術分野】
【０００１】
本明細書に記載の開示は、電池パックに関する。
【背景技術】
【０００２】
特許文献１に示されるように、組電池、複数のバスバ、および、複数のパワー素子を有する電池装置が知られている。
【先行技術文献】
【特許文献】
【０００３】
【特許文献１】特開２０１８−６３９２２号公報
【発明の概要】
【発明が解決しようとする課題】
【０００４】
特許文献１に記載の電池装置では、複数のパワー素子が２つのバスバの間で並列接続されている。２つのバスバの間で、複数のパワー素子を介した複数の通電経路が構成されている。これら複数の通電経路に電気抵抗の偏りがあると、複数のパワー素子（スイッチ）それぞれに流れる電流量に偏りが生じる。
【０００５】
そこで本明細書に記載の開示は、並列接続された複数のスイッチそれぞれに流れる電流量に偏りが生じることの抑制された電池パックを提供することを目的とする。
【課題を解決するための手段】
【０００６】
開示の１つは、電池（１０）と、
電池と電気的に接続される第１バスバー（５１，５２）および第２バスバー（５２，５３）と、
第１バスバーと第２バスバーとの間で並列接続される複数のスイッチ（６０ａ，６０ｂ，６０ｃ，６０ｄ）と、を有し、
第１バスバーと第２バスバーそれぞれは本体部（５５ｂ，５６ｂ，５７ｂ）と、本体部から分岐した分岐部（６６）と、分岐部から分かれた複数の端子接続部（６７）と、を有し、
複数のスイッチはそれぞれ第１バスバーの端子接続部に接続される第１入出力端子（６２）と、第２バスバーの端子接続部に接続される第２入出力端子（６３）と、を有し、
複数のスイッチのうちの任意の２つを第１スイッチ（６０ａ，６０ｂ）および第２スイッチ（６０ｃ，６０ｄ）とすると、
第１スイッチを介した第１バスバーの本体部と第２バスバーの本体部との間の通電経路の電気抵抗と、第２スイッチを介した第１バスバーの本体部と第２バスバーの本体部との間の通電経路の電気抵抗と、が相等しい。
【０００７】
これによれば、第１バスバー（５１，５２）と第２バスバー（５２，５３）との間で並列接続された複数のスイッチ（６０ａ，６０ｂ，６０ｃ，６０ｄ）それぞれに流れる電流量に偏りが生じることが抑制される。
【０００８】
なお、上記の括弧内の参照番号は、後述の実施形態に記載の構成との対応関係を示すものに過ぎず、技術的範囲を何ら制限するものではない。
【図面の簡単な説明】
【０００９】
【図１】電源システムを示すブロック図である。
【図２】電池パックの分解斜視図である。
【図３】バスバーモジュールの分解斜視図である。
【図４】第１給電バスバーを示す図表である。
【図５】第２給電バスバーを示す図表である。
【図６】第３給電バスバーを示す図表である。
【図７】第４給電バスバーを示す図表である。
【図８】バスバーケースの上面図である。
【図９】バスバーモジュールの正面図である。
【図１０】バスバーモジュールの側面図である。
【図１１】通電経路の電気抵抗を説明するための回路図である。
【図１２】第１開閉部と第２開閉部それぞれを流れる電流を説明するための模式図である。
【図１３】第３開閉部と第４開閉部それぞれを流れる電流を説明するための模式図である。
【図１４】通電経路の変形例を説明するための図表である。
【図１５】通電経路の変形例を説明するための図表である。
【図１６】第２給電バスバーの変形例を説明するための図表である。
【図１７】開閉部と給電バスバーとの接続を説明するための正面図である。
【発明を実施するための形態】
【００１０】
以下、実施形態を図に基づいて説明する。
【００１１】
（第１実施形態）
図１〜図１３、および、図１７に基づいて本実施形態に係る電池パック１００、および、それを含む電源システム２００を説明する。
【００１２】
＜電源システムの概要＞
電源システム２００は車両に搭載される。電源システム２００は車両に搭載された複数の車載機器と電池パック１００とによって構成されている。車載機器の１つとして蓄電池１１０がある。電池パック１００は組電池１０を有している。電源システム２００はこれら蓄電池１１０と組電池１０とによって２電源システムを構築している。
【００１３】
他の車載機器としてエンジン１４０がある。電源システム２００を搭載する車両は、所定の停止条件が満たされるとエンジン１４０を停止し、所定の始動条件が満たされるとエンジン１４０を再始動するアイドルストップ機能を有する。
【００１４】
図１に示すように電源システム２００は、上記した蓄電池１１０とエンジン１４０の他に、スタータモータ１２０、回転電機１３０、電気負荷１５０、上位ＥＣＵ１６０、および、ＭＧＥＣＵ１７０を有する。蓄電池１１０、スタータモータ１２０、および、電気負荷１５０それぞれは、第１ワイヤハーネス２１０を介して電池パック１００と電気的に接続されている。回転電機１３０は第２ワイヤハーネス２２０を介して電池パック１００と電気的に接続されている。
【００１５】
上位ＥＣＵ１６０とＭＧＥＣＵ１７０は図示しない配線を介して蓄電池１１０と電池パック１００の組電池１０それぞれと電気的に接続されている。同様にして、車両に搭載された他の各種ＥＣＵも図示しない配線を介して蓄電池１１０と組電池１０それぞれと電気的に接続されている。
【００１６】
以上に示したように電源システム２００は、蓄電池１１０と組電池１０の２つを電源とする２電源システムを構築している。
【００１７】
＜電源システムの構成要素＞
蓄電池１１０は化学反応によって起電圧を生成する。蓄電池１１０は組電池１０よりも蓄電容量が多い。蓄電池１１０は具体的には鉛蓄電池である。なお蓄電池１１０としては例えばリチウムイオン蓄電池を採用することもできる。
【００１８】
スタータモータ１２０はエンジン１４０を始動する。スタータモータ１２０はエンジン１４０の始動時にエンジン１４０と機械的に連結される。スタータモータ１２０の回転によってエンジン１４０のクランクシャフトが回転される。クランクシャフトの回転数が所定回転数を超えると、燃料噴射弁から燃焼室に霧状の燃料が噴射される。この際に点火プラグで火花が生成される。これにより燃料が爆発し、エンジン１４０が自律回転し始める。このエンジン１４０の動力によって車両の推進力が得られる。エンジン１４０が自律回転し始めると、スタータモータ１２０とエンジン１４０との機械的な連結が解除される。
【００１９】
回転電機１３０は力行と発電を行う。回転電機１３０には図示しない電力変換器が接続されている。この電力変換器が第２ワイヤハーネス２２０に電気的に接続されている。
【００２０】
電力変換器は蓄電池１１０と組電池１０のうちの少なくとも一方から供給された直流電圧を交流電圧に変換する。この交流電圧が回転電機１３０に供給される。これにより回転電機１３０は力行する。
【００２１】
回転電機１３０はエンジン１４０と連結されている。回転電機１３０とエンジン１４０とは、ベルトなどを介して相互に回転エネルギーを伝達可能になっている。回転電機１３０の力行によって生じた回転エネルギーがエンジン１４０に伝達される。これによりエンジン１４０の回転が促進される。この結果、車両走行がアシストされる。上記したように電源システム２００を搭載する車両はアイドルストップ機能を有する。回転電機１３０は車両走行のアシストだけではなく、エンジン１４０の再始動時においてクランクシャフトを回転させる機能も果たす。
【００２２】
回転電機１３０はエンジン１４０の回転エネルギー、および、車両の車輪の回転エネルギーの少なくとも一方によって発電する機能も有する。回転電機１３０は発電によって交流電圧を生成する。この交流電圧が電力変換器によって直流電圧に変換される。この直流電圧が、電池パック１００、蓄電池１１０、および、電気負荷１５０それぞれに供給される。
【００２３】
エンジン１４０は燃料を燃焼駆動することで車両の推進力を生成する。上記したようにエンジン１４０の始動時においては、スタータモータ１２０によってクランクシャフトが回転される。しかしながらアイドルストップによってエンジン１４０が一度停止した後に再び始動する際には、上記の所定の始動条件が満たされる場合、回転電機１３０によってクランクシャフトが回転される。
【００２４】
電気負荷１５０は第１負荷１５１と第２負荷１５２を有する。第１負荷１５１には、シートヒータ、送風ファン、電動コンプレッサ、ルームライト、および、ヘッドライトなどの供給電力が一定でなくともよい車載機器が含まれる。第２負荷１５２には、電動シフトポジション、電動パワーステアリング（ＥＰＳ）、ブレーキ（ＡＢＳ）、ドアロック、ナビゲーションシステム、および、オーディオなどの供給電力が一定であることが求められる車載機器が含まれる。ここに例示した第２負荷１５２は供給電圧がリセット閾値を下回るとオン状態からオフ状態へと切り換わる性質を有する。第２負荷１５２には第１負荷１５１よりも車両走行に関連性の高い車載機器が含まれる。
【００２５】
なお、上記した各種車載機器が第１負荷１５１と第２負荷１５２に含まれる構成は一例に過ぎない。車載システムの変更などに応じて、各種車載機器を第１負荷１５１と第２負荷１５２に適宜振り分けることができる。例えば第１負荷１５１にＥＰＳやＡＢＳが含まれる構成を採用することができる。
【００２６】
上位ＥＣＵ１６０とＭＧＥＣＵ１７０は車両に搭載された各種ＥＣＵのうちの１つである。これら各種ＥＣＵはバス配線１６１を介して互いに電気的に接続され、車載ネットワークを構築している。各種ＥＣＵが協調制御することで、エンジン１４０の燃焼および回転電機１３０の力行や発電などが制御される。上位ＥＣＵ１６０は電池パック１００を制御する。ＭＧＥＣＵ１７０は回転電機１３０を制御する。
【００２７】
また図示しないが、電源システム２００は、上記した各車載機器の他に、各種電圧や電流などの物理量、および、アクセルペダルの踏み込み量やスロットルバルブ開度などの車両情報を測定するためのセンサを有している。これら各種センサの検出した検出信号は、各種ＥＣＵに入力される。
【００２８】
なお、ＥＣＵはelectronic control unitの略である。ＥＣＵはコンピュータまたはマイクロコンピュータとも呼ばれる。ＥＣＵは、制御対象を制御するための制御システムを提供する。本明細書に記載の少なくとも１つの機能は、その機能を提供するように構成された少なくとも１つのＥＣＵによって提供される。
【００２９】
「機能を提供するように構成された少なくとも１つのＥＣＵ」は、（１）記憶媒体に記録されたソフトウェアおよびそれを実行するハードウェア、（２）ソフトウェアのみ、若しくは、（３）ハードウェアのみによって提供することができる。ＥＣＵは、例えば以下に示す形態で提供することができる。
【００３０】
ＥＣＵは、ｉｆ−ｔｈｅｎ−ｅｌｓｅ形式と呼ばれるロジック、または、機械学習によってチューニングされた学習済みモデルによって提供することができる。この機械学習によってチューニングされた学習済みモデルとは、例えばニューラルネットワークである。
【００３１】
ＥＣＵは、少なくともプログラムを格納したメモリと、このプログラムを実行する少なくとも１つのプロセッサと、を備えるコンピュータによって提供することができる。この場合、プロセッサはＣＰＵまたはＧＰＵと呼ばれる。ＣＰＵはCentral Processing Unitの略である。ＧＰＵはGraphics Processing Unitの略である。
【００３２】
上記のメモリは記憶媒体とも呼ばれる。メモリはプロセッサによって読み取り可能な「プログラムおよびデータのうちの少なくとも一方」を非一時的に格納する非遷移的かつ実体的な記憶媒体である。記憶媒体は、半導体メモリ、磁気ディスク、または、光学ディスクなどによって提供される。
【００３３】
プログラムは複数のコンピュータインストラクションを含む。プログラムがプロセッサによって実行されることで、プロセッサをこの明細書に記載される装置として機能させる。プログラムがプロセッサによって実行されることで、プロセッサをこの明細書に記載される方法を実行するように機能させる。プログラムは、それ単体で、または、プログラムが格納された記憶媒体として流通する場合がある。
【００３４】
ＥＣＵは、多数の論理ユニットを含むデジタル回路、または、アナログ回路を含むプロセッサを備えるコンピュータによって提供することができる。この場合、プロセッサは、ＰＧＡ、ＦＰＧＡ、ＣＰＬＣなどと呼ばれる。ＰＧＡはProgrammable Gate Arrayの略である。ＦＰＧＡはField Programmable Gate Arrayの略である。ＣＰＬＣはComplex Programmable Logic Deviceの略である。プロセッサは、「プログラムおよびデータのうちの少なくとも一方」を格納したメモリを備える場合がある。
【００３５】
＜電池パックの概要＞
図１に示すように電池パック１００は、組電池１０、回路基板２０、スイッチ３０、センサ部４０、および、給電バスバー５０を有する。図２に示すように電池パック１００はバスバーケース７０とパックケース９０を有する。絶縁性の樹脂材料から成るバスバーケース７０に給電バスバー５０が収納される。これによりバスバーモジュール１が構成されている。
【００３６】
パックケース９０は図２に示す筐体９１とカバー９２を有する。筐体９１はアルミダイカストで製造される。また筐体９１は鉄やステンレスをプレス加工することによっても製造することができる。筐体９１は配線基板２１よりも伝熱性能が高くなっている。そのために筐体９１は配線基板２１よりも放熱性が高くなっている。
【００３７】
筐体９１は底壁９３と底壁９３から起立した側壁９４を有する。側壁９４によって開口が構成されている。筐体９１にカバー９２が組み付けられる。これにより側壁９４で構成される開口がカバー９２によって覆われる。筐体９１とカバー９２とによって収納空間が構成される。この収納空間に、組電池１０、回路基板２０、スイッチ３０、センサ部４０、および、バスバーモジュール１それぞれが収納されている。なおカバー９２は樹脂製若しくは金属製である。
【００３８】
組電池１０は蓄電池１１０よりも体格が小さく、重量も軽くなっている。組電池１０は蓄電池１１０よりもエネルギー密度が高い性質を有する。
【００３９】
回路基板２０は配線基板２１とＢＭＵ２２を有する。配線基板２１にはスイッチ３０の一部とＢＭＵ２２が搭載されている。そして配線基板２１にはスイッチ３０の残りと組電池１０とが給電バスバー５０を介して電気的に接続されている。これにより電池パック１００の電気回路が構成されている。この電気回路にセンサ部４０が絶縁電線や金属端子などを介して電気的に接続されている。
【００４０】
電池パック１００の電気回路は図１において二重丸で示す外部接続端子と電気的に接続されている。この外部接続端子としては、第１外部接続端子１００ａ、第２外部接続端子１００ｂ、第３外部接続端子１００ｃ、および、第４外部接続端子１００ｄがある。
【００４１】
第１外部接続端子１００ａと第４外部接続端子１００ｄは第１ワイヤハーネス２１０を介して蓄電池１１０、スタータモータ１２０、および、電気負荷１５０それぞれと電気的に接続されている。第２外部接続端子１００ｂは第２ワイヤハーネス２２０を介して回転電機１３０と電気的に接続されている。これに対して第３外部接続端子１００ｃは車両のボディと機械的および電気的に接続されている。
【００４２】
図１に示すように第１ワイヤハーネス２１０は、蓄電池１１０、スタータモータ１２０、および、第１負荷１５１を接続するものと、第２負荷１５２を接続するものとに分けられている。蓄電池１１０、スタータモータ１２０、および、第１負荷１５１を接続する第１ワイヤハーネス２１０の端部が第１外部接続端子１００ａに接続される。第２負荷１５２を接続する第１ワイヤハーネス２１０の端部が第４外部接続端子１００ｄに接続される。
【００４３】
このように第１ワイヤハーネス２１０は電池パック１００の第１外部接続端子１００ａと第４外部接続端子１００ｄに接続される。そのために第１ワイヤハーネス２１０は２つの端子を有する。これら２つの端子は金属端子に孔が形成されたものである。また第２ワイヤハーネス２２０は第２外部接続端子１００ｂに接続される。そのために第２ワイヤハーネス２２０は孔の形成された金属端子を有する。これら第１ワイヤハーネス２１０と第２ワイヤハーネス２２０は車両内で這いまわされている。
【００４４】
第１外部接続端子１００ａ、第４外部接続端子１００ｄ、および、第２外部接続端子１００ｂそれぞれはバスバーケース７０の一部を共有している。図２および図３に示すようにバスバーケース７０は絶縁性の樹脂から成る端子台７１と、端子台７１に埋設された接続ボルト７２と、接続ボルト７２の軸部に締結されるナット７３と、を有する。第１外部接続端子１００ａ、第４外部接続端子１００ｄ、および、第２外部接続端子１００ｂそれぞれは、端子台７１における接続ボルト７２を埋設する部位、接続ボルト７２、および、ナット７３をバスバーケース７０と共有している。
【００４５】
接続ボルト７２の頭部側が端子台７１内に埋没されている。接続ボルト７２の軸部が端子台７１から突出している。この接続ボルト７２の軸部に給電バスバー５０の貫通孔が通される。そしてナット７３が接続ボルト７２の軸部に締結される。これにより端子台７１に給電バスバー５０が固定される。バスバーモジュール１が構成される。バスバーモジュール１は図示しないボルトによって筐体９１に固定される。
【００４６】
次いで、接続ボルト７２の軸部にワイヤハーネスの金属端子の孔が通される。そして図示しないナットが接続ボルト７２の軸部の先端側に締結される。これによりワイヤハーネスの金属端子が接続ボルト７２の軸部に機械的に接続される。それとともに金属端子が給電バスバー５０と電気的に接続される。
【００４７】
第３外部接続端子１００ｃは筐体９１に形成されたボルト孔である。第３外部接続端子１００ｃはボルト、若しくは、ワイヤハーネスを介して車両のボディと接続される。これにより筐体９１はグランド電位になっている。電池パック１００はボディアースされている。
【００４８】
＜電池パックの構成要素＞
次に、電池パック１００の構成要素を個別に説明する。それにあたって、以下においては互いに直交の関係にある３方向を、ｘ方向、ｙ方向、および、ｚ方向と示す。ｘ方向は車両の左右方向に沿っている。ｙ方向は車両の前後方向に沿っている。ｚ方向は車両の天地方向に沿っている。またｘ方向が所定方向に相当する。
【００４９】
組電池１０は複数の直列接続された電池セルと、これら電池セルを収納する電池ケース１１と、を有する。これら電池セルは具体的にはリチウムイオン蓄電池である。リチウムイオン蓄電池は化学反応によって起電圧を生成する。起電圧の生成により電池セルに電流が流れる。これにより電池セルは発熱してガスを発生する。そのために電池セルは膨張する。なお電池セルとしては上記例に限定されない。例えば電池セルとしては、ニッケル水素二次電池、有機ラジカル電池などの二次電池を採用することができる。
【００５０】
電池セルは直方体形状を成している。電池セルはｚ方向に面する２つの主面を有する。これら２つの主面は他の４面よりも面積が広くなっている。そして２つの主面間の長さ（厚さ）が薄くなっている。このように電池セルはｚ方向の厚さの薄い扁平形状を成している。
【００５１】
本実施形態の組電池１０は５つの電池セルを有する。これら５つの電池セルのうちの３つがｚ方向に積層配置されて第１電池スタックを構成している。そして残り２つの電池セルがｚ方向に積層配置されて第２電池スタックを構成している。これら２つの電池スタックはｘ方向に並んでいる。これら５つの電池セルの配置が電池ケース１１によって保持されている。
【００５２】
電池ケース１１は樹脂から成る箱体と、電池セルに接続される接続端子と、を有する。接続端子としては、５つの電池セルを直列接続する直列接続端子がある。直列接続端子と対応する２つの電池セルの電極端子とを接触させ、その接触状態で両者を溶接接合する。これにより５つの電池セルが直列接続される。
【００５３】
また接続端子としては、上記の直列接続端子の他に、５つの直列接続された電池セルのうちの最高電位に位置する電池セルの正極端子と接続される出力端子１２と、最低電位に位置する電池セルの負極端子と接続される接地端子１３と、がある。出力端子１２は最高電位の電池セルの正極端子と溶接接合される。接地端子１３は最低電位の電池セルの負極端子と溶接接合される。
【００５４】
これら最高電位の電池セルと最低電位の電池セルは第１電池スタックに含まれている。これら２つの電池セルは、第１電池スタックにおいてｚ方向に積層配置された３つの電池セルのうちの両端に位置するものである。最低電位の電池セルは最高電位の電池セルよりもｚ方向において底壁９３側に位置している。
【００５５】
上記したように回路基板２０は配線基板２１とＢＭＵ２２を有する。配線基板２１は絶縁基板に導電材料からなる配線パターンの形成されたプリント基板である。絶縁基板の表面および内部の少なくとも一方に、配線パターンとして第１給電線２３、第２給電線２４、第３給電線２５、および、第４給電線２６が形成されている。
【００５６】
配線基板２１はボルトなどを介して筐体９１に固定される。配線基板２１（回路基板２０）の一部はｚ方向で第２電池スタックと並んでいる。回路基板２０は最高電位の電池セルとｘ方向で並んでいる。
【００５７】
配線基板２１には配線パターンと電気的に接続される端子が形成されている。この端子としては、第１内部端子２８ａ、第２内部端子２８ｂ、第３内部端子２８ｃ、および、第４内部端子２８ｄがある。これら配線パターンと内部端子それぞれの電気的な接続の説明は、後の電池パック１００の回路構成の説明の際に行う。
【００５８】
スイッチ３０は、第１スイッチ３１、第２スイッチ３２、第３スイッチ３３、第４スイッチ３４、第５スイッチ３５、および、第６スイッチ３６を有する。第１スイッチ３１と第２スイッチ３２は筐体９１に搭載される。第３スイッチ３３〜第６スイッチ３６それぞれは配線基板２１に搭載される。
【００５９】
第１スイッチ３１〜第４スイッチ３４それぞれは半導体スイッチを有する。この半導体スイッチは具体的にはＮチャネル型ＭＯＳＦＥＴである。したがって第１スイッチ３１〜第４スイッチ３４それぞれはハイレベルの制御信号の入力によって閉状態になる。第１スイッチ３１〜第４スイッチ３４それぞれはローレベルの制御信号の入力によって開状態になる。
【００６０】
この第１スイッチ３１〜第４スイッチ３４の有する半導体スイッチとしてはＩＧＢＴなどを採用することもできる。この場合、ＩＧＢＴにはダイオードが並列接続される。
【００６１】
第５スイッチ３５と第６スイッチ３６はメカニカルリレーである。詳しく言えば第５スイッチ３５と第６スイッチ３６はノーマリクローズ式の電磁リレーである。したがって第５スイッチ３５と第６スイッチ３６はハイレベルの制御信号の入力によって開状態になる。第５スイッチ３５と第６スイッチ３６はローレベルの制御信号の入力によって閉状態になる。換言すれば、第５スイッチ３５と第６スイッチ３６はハイレベルの制御信号の入力が途絶えると閉状態になる。
【００６２】
第１スイッチ３１〜第４スイッチ３４それぞれは、２つのＭＯＳＦＥＴが直列接続されてなる開閉部を少なくとも１つ有する。これら２つのＭＯＳＦＥＴはソース電極同士が連結されている。２つのＭＯＳＦＥＴのゲート電極は電気的に独立している。ＭＯＳＦＥＴは寄生ダイオードを有する。２つのＭＯＳＦＥＴの寄生ダイオードは互いにアノード電極同士が連結されている。上記のゲート電極は回路基板２０と電気的に接続される。
【００６３】
第１スイッチ３１〜第４スイッチ３４はそれぞれ複数の開閉部を有する。複数の開閉部は並列接続されている。そして第３スイッチ３３と第４スイッチ３４では複数の開閉部の有する直列接続された２つのＭＯＳＦＥＴのソース電極同士が互いに接続されている。
【００６４】
本実施形態では第１スイッチ３１〜第４スイッチ３４それぞれは開閉部を２つ有する。これら開閉部の数や並列接続および直列接続などの接続形態は電流量や冗長性などに応じて適宜定められる。
【００６５】
第１スイッチ３１〜第４スイッチ３４それぞれの開閉部は２つのＭＯＳＦＥＴを被覆する樹脂部６１を有する。この樹脂部６１は直方体形状を成している。
【００６６】
上記したように電気回路にセンサ部４０が電気的に接続されている。このセンサ部４０は、組電池１０とスイッチ３０それぞれの状態を検出するセンサ素子を有する。センサ部４０はセンサ素子として、温度センサ、電流センサ、および、電圧センサを有する。
【００６７】
センサ部４０は組電池１０の温度、電流、および、電圧を検出する。センサ部４０はそれを組電池１０の状態信号としてＢＭＵ２２に出力する。またセンサ部４０はスイッチ３０の温度、電流、および、電圧を検出する。センサ部４０はそれをスイッチ３０の状態信号としてＢＭＵ２２に出力する。
【００６８】
なおスイッチ３０の温度を検出する温度センサは、直列接続された２つのＭＯＳＦＥＴとともに上記の樹脂部６１に被覆保護される検温ダイオードである。スイッチ３０の電流を検出する電流センサは直列接続された２つのＭＯＳＦＥＴの間に設けられたシャント抵抗である。
【００６９】
センサ部４０は上記の各種センサの他に水没センサを有する。この水没センサは２つの対向電極を有する。２つの対向電極の間に水があると、２つの対向電極が通電する。それによって２つの対向電極間の抵抗値が変化する。この抵抗値の変化が状態信号としてＢＭＵ２２に入力される。ＢＭＵ２２は抵抗値の変化が所定時間継続されるか否かに基づいて、電池パック１００の水没を検出する。
【００７０】
ＢＭＵ２２はセンサ部４０の状態信号、および、上位ＥＣＵ１６０からの指令信号の少なくとも一方に基づいてスイッチ３０を制御する。ＢＭＵはbattery management unitの略である。
【００７１】
上記したように第１スイッチ３１〜第４スイッチ３４それぞれは複数の半導体スイッチを有する。例えば第１スイッチ３１の開閉を制御する場合、ＢＭＵ２２は第１スイッチ３１の有する全ての半導体スイッチを同時に閉状態、若しくは、同時に開状態に制御する。例えばＢＭＵ２２は、第１スイッチ３１の有する全ての半導体スイッチの制御電極（ゲート電極）にハイレベルの制御信号、若しくは、ローレベルの制御信号を同時に出力する。
【００７２】
なおＢＭＵ２２は、半導体スイッチを閉状態にする期間において、ハイレベルの制御信号を間断的に出力することで半導体スイッチの閉時間を調整してもよい。簡単に言えば、ＢＭＵ２２は半導体スイッチをパルス幅制御してもよい。
【００７３】
ＢＭＵ２２はセンサ部４０の状態信号に基づいて組電池１０の充電状態（ＳＯＣ）やスイッチ３０の異常を判定する。ＳＯＣはstate of chargeの略である。ＢＭＵ２２はこれらＳＯＣや異常を判定した信号（判定情報）を上位ＥＣＵ１６０に出力する。
【００７４】
上位ＥＣＵ１６０はＢＭＵ２２から入力された判定情報、および、他の各種ＥＣＵから入力された車両情報に基づいてスイッチ３０の制御を決定する。そして上位ＥＣＵ１６０はその決定したスイッチ３０の制御を含む指令信号をＢＭＵ２２に出力する。
【００７５】
ＢＭＵ２２は上位ＥＣＵ１６０からの指令信号に基づいてスイッチ３０を制御する。ただしＢＭＵ２２は、水没センサの状態信号により電池パック１００が水没したと判断した場合、スイッチ３０への制御信号の出力の停止を独断で実行する。これにより組電池１０の電気的な接続が遮断される。
【００７６】
またＢＭＵ２２は、上記の検温ダイオードで検出された温度がスイッチ３０の動作保障温度程度まで上昇したと判断すると、スイッチ３０の駆動を制限する。同様にしてＢＭＵ２２は、シャント抵抗で検出された電流がスイッチ３０の動作保障電流程度まで上昇したと判断すると、スイッチ３０の駆動を制限する。例えばスイッチ３０の半導体スイッチをパルス幅制御していた場合、ＢＭＵ２２はそのオンデューティ比を低める。これにより半導体スイッチの通電時間が短くなる。この結果、半導体スイッチの発熱が抑制される。
【００７７】
給電バスバー５０はアルミニウムや銅などの導電材料から成る。給電バスバー５０は例えば以下に列挙する方法で製造することができる。給電バスバー５０は１枚の平板を屈曲加工することで製造することができる。給電バスバー５０は複数の平板が一体的に連結されることで製造することができる。給電バスバー５０は複数の平板を溶接することで製造することができる。給電バスバー５０は鋳型に溶融状態の導電材料を流し込むことで製造することができる。以上に列挙した製造方法とは異なる製造方法によっても給電バスバー５０を製造することができる。ただし本実施形態の給電バスバー５０は１枚の平板を屈曲加工することで製造されている。
【００７８】
電池パック１００は給電バスバー５０として、第１給電バスバー５１、第２給電バスバー５２、第３給電バスバー５３、および、第４給電バスバー５４を有する。これら複数の給電バスバーによって組電池１０、回路基板２０、第１スイッチ３１、第２スイッチ３２、および、外部接続端子それぞれが電気的に接続されている。図１ではこれら給電バスバーそれぞれを配線基板２１の給電線よりも太くして図示している。
【００７９】
上記したように筐体９１は底壁９３と側壁９４を有する。底壁９３はｚ方向に面する底面９３ａを有する。側壁９４は底面９３ａからｚ方向に起立している。
【００８０】
図２に示すように底壁９３にはｚ方向においてカバー９２側に局所的に突起した第１放熱部９５と第２放熱部９６が形成されている。第１放熱部９５と第２放熱部９６は底面９３ａ上で直方体形状を成している。
【００８１】
第１放熱部９５はｚ方向に面する放熱面を有する。この放熱面に第１スイッチ３１が放熱シートを介して設けられる。第１スイッチ３１と第１放熱部９５との間で放熱シートが挟持される態様で、第１スイッチ３１が第１放熱部９５にボルト止めされる。
【００８２】
同様にして第２放熱部９６はｚ方向に面する放熱面を有する。この放熱面に第２スイッチ３２が放熱シートを介して設けられる。第２スイッチ３２と第２放熱部９６との間で放熱シートが挟持される態様で、第２スイッチ３２が第２放熱部９６にボルト止めされる。
【００８３】
本実施形態の電池パック１００は車両の座席下方に設けられる。しかしながら電池パック１００の配置としてはこれに限定されない。電池パック１００は、例えば後部座席とトランクルームとの間の空間、および、運転席と助手席の間の空間などに配置することもできる。
【００８４】
＜電池パックの回路構成＞
次に、電池パック１００の回路構成を説明する。なおこの回路には、図１に示すプリチャージ抵抗６０も接続される。プリチャージ抵抗６０は配線基板２１に搭載されている。
【００８５】
以下に示す各給電バスバーと各スイッチとの接続はＴＩＧ溶接によって行われる。各給電バスバーと回路基板２０との接続はろう接によって行われる。なお、各給電バスバーと各スイッチとはレーザ溶接によって接続してもよい。
【００８６】
図１に示すように第１外部接続端子１００ａと第１スイッチ３１の一端とが第１給電バスバー５１を介して電気的に接続されている。第１給電バスバー５１から一部が分岐している。この第１給電バスバー５１の分岐部位５１ａが配線基板２１の第１内部端子２８ａと電気的に接続されている。
【００８７】
第１スイッチ３１の他端と第２外部接続端子１００ｂとが第２給電バスバー５２を介して電気的に接続されている。第２給電バスバー５２から一部が分岐している。この第２給電バスバー５２の分岐部位５２ａが第２スイッチ３２の一端と電気的に接続されている。また分岐部位５２ｂが第４内部端子２８ｄに接続されている。
【００８８】
第２スイッチ３２の他端と組電池１０の正極とが第３給電バスバー５３を介して電気的に接続されている。第３給電バスバー５３から一部が分岐している。この第３給電バスバー５３の分岐部位５３ａが配線基板２１の第２内部端子２８ｂと電気的に接続されている。組電池１０の負極は第３外部接続端子１００ｃと電気的に接続されている。具体的に言えば接地端子１３がヒューズを介して第３外部接続端子１００ｃにボルト止めされている。
【００８９】
配線基板２１の第２内部端子２８ｂと第１内部端子２８ａとが第１給電線２３を介して電気的に接続されている。この第１給電線２３に、第２内部端子２８ｂから第１内部端子２８ａに向かって順に第３スイッチ３３と第４スイッチ３４が直列接続されている。
【００９０】
配線基板２１の第３内部端子２８ｃと第１給電線２３における第１内部端子２８ａと第４スイッチ３４との間の中点とが第２給電線２４を介して電気的に接続されている。そして第３内部端子２８ｃは第４給電バスバー５４を介して第４外部接続端子１００ｄと電気的に接続されている。
【００９１】
第２給電線２４に第５スイッチ３５が設けられている。そして第２給電線２４における第３内部端子２８ｃと第５スイッチ３５との間の中点が、第１給電線２３における第３スイッチ３３と第４スイッチ３４との間の中点に連結されている。
【００９２】
第３給電線２５の一端が第１給電線２３における第１内部端子２８ａと第４スイッチ３４との間の中点に接続されている。第３給電線２５の他端が第２給電線２４における第１給電線２３との接続点と第５スイッチ３５との間に接続されている。この第３給電線２５に第６スイッチ３６が設けられている。
【００９３】
第４給電線２６の一端が第１給電線２３における第１内部端子２８ａと第４スイッチ３４との間の中点に接続されている。第４給電線２６の他端が第４内部端子２８ｄに接続されている。この第４給電線２６にプリチャージ抵抗６０が設けられている。
【００９４】
以上により、第１スイッチ３１、第２スイッチ３２、第３スイッチ３３、および、第４スイッチ３４が順に環状に接続されている。第１スイッチ３１と第２スイッチ３２との間の中点が第２外部接続端子１００ｂに接続されている。第２スイッチ３２と第３スイッチ３３との間の中点が組電池１０に接続されている。第３スイッチ３３と第４スイッチ３４との間の中点が第４外部接続端子１００ｄに接続されている。第４スイッチ３４と第１スイッチ３１との間の中点が第１外部接続端子１００ａに接続されている。
【００９５】
また、第１外部接続端子１００ａと第４外部接続端子１００ｄとが第５スイッチ３５を介して接続されている。第３スイッチ３３と第４スイッチ３４との間の中点が第５スイッチ３５を介して第１外部接続端子１００ａに接続されている。同様にして、第１外部接続端子１００ａと第４外部接続端子１００ｄとが第６スイッチ３６を介して接続されている。第３スイッチ３３と第４スイッチ３４との間の中点が第６スイッチ３６を介して第１外部接続端子１００ａに接続されている。
【００９６】
以上の電気的な接続構成により、第１スイッチ３１を開閉制御することで第１外部接続端子１００ａと第２外部接続端子１００ｂとの電気的な接続が制御される。換言すれば、第１スイッチ３１を開閉制御することで蓄電池１１０と回転電機１３０との電気的な接続が制御される。
【００９７】
第２スイッチ３２を開閉制御することで第２外部接続端子１００ｂと組電池１０との電気的な接続が制御される。換言すれば、第２スイッチ３２を開閉制御することで回転電機１３０と組電池１０との電気的な接続が制御される。
【００９８】
第３スイッチ３３を開閉制御することで第２内部端子２８ｂと第３内部端子２８ｃとの電気的な接続が制御される。換言すれば、第３スイッチ３３を開閉制御することで組電池１０と第２負荷１５２との電気的な接続が制御される。
【００９９】
第４スイッチ３４を開閉制御することで第１内部端子２８ａと第３内部端子２８ｃとの電気的な接続が制御される。換言すれば、第４スイッチ３４を開閉制御することで蓄電池１１０と第２負荷１５２との電気的な接続が制御される。
【０１００】
第５スイッチ３５および第６スイッチ３６のうちの少なくとも一方を開閉制御することで第３内部端子２８ｃと第１内部端子２８ａとの電気的な接続が制御される。換言すれば、第５スイッチ３５および第６スイッチ３６のうちの少なくとも一方を開閉制御することで蓄電池１１０と第２負荷１５２との電気的な接続が制御される。
【０１０１】
以上に示したように、第１スイッチ３１〜第６スイッチ３６それぞれの接続対象は異なる。そのために第１スイッチ３１〜第６スイッチ３６それぞれの通電量は異なっている。第１スイッチ３１〜第６スイッチ３６それぞれの発熱量は異なっている。
【０１０２】
特に、第１スイッチ３１と第２スイッチ３２は回転電機１３０と電気的に接続される。そのために第１スイッチ３１と第２スイッチ３２は他の４つのスイッチに比べて通電量が多く、その発熱量が高くなっている。したがってこれら第１スイッチ３１と第２スイッチ３２の温度上昇を抑制する必要がある。そのために第１スイッチ３１と第２スイッチ３２は配線基板２１よりも放熱性の高い筐体９１に設けられている。
【０１０３】
なお、第１外部接続端子１００ａと第２外部接続端子１００ｂはプリチャージ抵抗６０を介して電気的に接続されている。上記したように第２外部接続端子１００ｂに第２ワイヤハーネス２２０が接続されている。そしてこの第２ワイヤハーネス２２０に図示しない電力変換器が接続されている。
【０１０４】
電力変換器は大容量の平滑コンデンサを備えている。平滑コンデンサは電荷が充電された状態で使用される。この平滑コンデンサの電荷の充電は、蓄電池１１０からの電力供給によって行われる。
【０１０５】
第１ワイヤハーネス２１０と第２ワイヤハーネス２２０が電池パック１００に接続される。これによりプリチャージ抵抗６０を介して蓄電池１１０から平滑コンデンサに電荷が供給される。このようにプリチャージ抵抗６０を介すことで、蓄電池１１０から平滑コンデンサに流れる電流量が急激に増大することが抑制されている。
【０１０６】
＜第１スイッチと第２スイッチ＞
上記したように第１スイッチ３１と第２スイッチ３２は他の４つのスイッチに比べて発熱量が高くなっている。そして第１スイッチ３１と第２スイッチ３２は他の４つのスイッチとは異なり、給電バスバーに直接接続される。以下においてはこの給電バスバーとの接続形態を説明するために、第１スイッチ３１と第２スイッチ３２を詳説する。
【０１０７】
第１スイッチ３１と第２スイッチ３２はそれぞれ並列接続された２つの開閉部を有する。これら開閉部を区別するため、以下においては第１スイッチ３１の有する２つの開閉部を第１開閉部６０ａおよび第２開閉部６０ｂと示す。第２スイッチ３２の有する２つの開閉部を第３開閉部６０ｃおよび第４開閉部６０ｄと示す。第１開閉部６０ａが第１スイッチに相当し、第２開閉部６０ｂが第２スイッチに相当する。第３開閉部６０ｃが第１スイッチに相当し、第４開閉部６０ｄが第２スイッチに相当する。
【０１０８】
これら第１開閉部６０ａ〜第４開閉部６０ｄは同一構成である。そのために以下においては第１開閉部６０ａをその代表として説明する。その他の第２開閉部６０ｂ〜第４開閉部６０ｄの説明を省略する。
【０１０９】
図３に示すように第１開閉部６０ａは、上記の直列接続された２つのＭＯＳＦＥＴの他に、樹脂部６１、第１接続端子６２、第２接続端子６３、および、制御端子６４を有する。
【０１１０】
樹脂部６１は２つのＭＯＳＦＥＴと、上記の３つの端子それぞれの一端側を被覆している。樹脂部６１から３つの端子それぞれの他端側が露出している。
【０１１１】
樹脂部６１はｚ方向の厚さの薄い扁平形状を成している。樹脂部６１はｚ方向に面する２つの主面を有する。樹脂部６１には２つの主面をｚ方向に貫通する貫通孔が形成されている。この貫通孔にボルトが通される。
【０１１２】
また樹脂部６１はｙ方向に面する２つの側面を有する。樹脂部６１の有する２つの側面のうちの一方から第１接続端子６２と第２接続端子６３それぞれの他端側が外に飛び出している。２つの側面のうちの他方から制御端子６４の他端側が外に飛び出している。
【０１１３】
第１接続端子６２の一端は２つのＭＯＳＦＥＴのうちの一方のドレイン端子に接続されている。第２接続端子６３の一端は２つのＭＯＳＦＥＴのうちの他方のドレイン端子に接続されている。制御端子６４の一端は２つのＭＯＳＦＥＴのゲート電極に接続されている。
【０１１４】
樹脂部６１から露出した第１接続端子６２と第２接続端子６３それぞれの他端は給電バスバー５０に接続される。制御端子６４の他端は回路基板２０に接続される。第１接続端子６２が第１入出力端子に相当する。第２接続端子６３が第２入出力端子に相当する。
【０１１５】
なお第１開閉部６０ａ〜第４開閉部６０ｄそれぞれの各給電バスバーとの接続対象を具体的に示すと、図１２に示すように第１開閉部６０ａと第２開閉部６０ｂそれぞれの第１接続端子６２が第１給電バスバー５１に接続される。第１開閉部６０ａと第２開閉部６０ｂそれぞれの第２接続端子６３が第２給電バスバー５２に接続される。第１給電バスバー５１が第１バスバーに相当し、第２給電バスバーが第２バスバーに相当する。
【０１１６】
また図１３に示すように第３開閉部６０ｃと第４開閉部６０ｄそれぞれの第１接続端子６２が第２給電バスバー５２に接続される。第３開閉部６０ｃと第４開閉部６０ｄそれぞれの第２接続端子６３が第３給電バスバー５３に接続される。第２給電バスバーが第１バスバーに相当し、第３給電バスバーが第２バスバーに相当する。
【０１１７】
図３に示すように第１開閉部６０ａ〜第４開閉部６０ｄそれぞれの第１接続端子６２と第２接続端子６３の他端側がｘ方向に並んでいる。そしてこれら４つの開閉部の第１接続端子６２と第２接続端子６３それぞれのｙ方向とｚ方向の位置が一致している。同様にして第１開閉部６０ａ〜第４開閉部６０ｄの制御端子６４はｘ方向に並んでいる。これら４つの開閉部の制御端子６４それぞれの他端側のｙ方向とｚ方向の位置が一致している。
【０１１８】
＜バスバーモジュール＞
上記したようにバスバーモジュール１は給電バスバー５０とバスバーケース７０を有する。図２および図３に示すようにバスバーケース７０は、上記の端子台７１、接続ボルト７２、および、ナット７３の他に、給電バスバー５０を収納する収納部７４を有する。収納部７４は端子台７１と同一材料から成る。収納部７４は端子台７１と一体になっている。
【０１１９】
収納部７４には第１給電バスバー５１〜第４給電バスバー５４それぞれを個別に独立して収納するための複数の溝部が形成されている。後述するように複数の給電バスバーの間に溝部の一部を構成する回廊壁が位置する。これにより複数の給電バスバー間の接触と短絡が抑制されている。
【０１２０】
第１給電バスバー５１〜第４給電バスバー５４が収納部７４の複数の溝部に収納された状態で、第１給電バスバー５１〜第３給電バスバー５３それぞれの一部が順にｙ方向に並んでいる。第４給電バスバー５４の一部、第１給電バスバー５１〜第３給電バスバー５３それぞれの一部が順にｘ方向に並んでいる。
【０１２１】
バスバーモジュール１が筐体９１に搭載された状態で、第３給電バスバー５３は第１給電バスバー５１および第２給電バスバー５２それぞれよりもｙ方向において第１スイッチ３１および第２スイッチ３２側に位置している。第３給電バスバー５３は他の３つの給電バスバーそれぞれよりもｘ方向において第１スイッチ３１および第２スイッチ３２側に位置している。
【０１２２】
そして第１給電バスバー５１が第１スイッチ３１に接続されている。第２給電バスバー５２が第１スイッチ３１と第２スイッチ３２に接続されている。第３給電バスバー５３が第２スイッチ３２に接続されている。第１給電バスバー５１〜第４給電バスバー５４それぞれが回路基板２０に接続されている。
【０１２３】
以上に示した配置と接続を実現するため、第１給電バスバー５１〜第４給電バスバー５４それぞれは一部が屈曲している。
【０１２４】
＜給電バスバー＞
第１給電バスバー５１〜第４給電バスバー５４それぞれは厚さの薄い金属板が屈曲加工されて成る。これら各給電バスバーを構成する複数の部位の厚さ方向と延長方向は、屈曲により、同一であったり異なったりしている。以下、図４〜図７に基づいて、各給電バスバーを複数の部位に細分化して説明する。
【０１２５】
＜第１給電バスバー＞
図４に示すように第１給電バスバー５１は、第１端子部５５ａ、第１本体部５５ｂ、および、第１離間部５５ｃを有する。第１端子部５５ａは第１本体部５５ｂを介して第１離間部５５ｃと一体的に連結されている。第１端子部５５ａと第１本体部５５ｂとの連結部位が屈曲している。第１本体部５５ｂと第１離間部５５ｃとの連結部位が屈曲している。
【０１２６】
この屈曲により、第１端子部５５ａの厚さ方向がｚ方向になっている。第１本体部５５ｂの厚さ方向がｙ方向になっている。第１端子部５５ａは第１本体部５５ｂとの連結部位から離れる態様でｙ方向に延びている。第１本体部５５ｂは第１端子部５５ａとの連結部位から離れる態様でｘ方向に延びている。
【０１２７】
第１端子部５５ａにはｚ方向に貫く貫通孔が形成されている。この貫通孔に第１外部接続端子１００ａの接続ボルト７２が通される。第１端子部５５ａは第１外部接続端子１００ａを介して第１ワイヤハーネス２１０と電気的に接続される。
【０１２８】
第１離間部５５ｃの厚さ方向はｘ方向になっている。第１離間部５５ｃは第１本体部５５ｂとの連結部位から離れる態様でｙ方向に延びている。第１離間部５５ｃと第１端子部５５ａそれぞれの第１本体部５５ｂからのｙ方向への延長方向は反対になっている。第１離間部５５ｃと第１端子部５５ａは互いに離間するようにｙ方向に延びている。
【０１２９】
図４に示すように第１本体部５５ｂから第１スイッチ接続部５５ｄが延びている。第１スイッチ接続部５５ｄは第１本体部５５ｂから第１スイッチ３１へと向かってｚ方向に延びている。第１スイッチ接続部５５ｄは第１スイッチ３１の第１開閉部６０ａと第２開閉部６０ｂそれぞれの第１接続端子６２に接続される。第１スイッチ接続部５５ｄの延長方向と第１本体部５５ｂの延長方向とが交差している。
【０１３０】
第１離間部５５ｃから第１基板接続部５５ｅが延びている。第１基板接続部５５ｅは第１離間部５５ｃから回路基板２０へと向かってｚ方向に延びている。第１基板接続部５５ｅが回路基板２０に接続される。
【０１３１】
なお、第１本体部５５ｂは、第１給電バスバー５１の第１スイッチ３１との接続、および、収納部７４における第２給電バスバー５２の配置の都合により一部が屈曲している。この屈曲により第１本体部５５ｂの一部がｙ方向に延びた形状になっている。第１本体部５５ｂはｚ方向に直交する平面においてクランク形状を成している。第１本体部５５ｂの屈曲部位は、ｘ方向において第１端子部５５ａと第１スイッチ接続部５５ｄの間に位置している。
【０１３２】
第１スイッチ接続部５５ｄは、第１給電バスバー５１の第１スイッチ３１との接続、および、収納部７４における第２給電バスバー５２の配置の都合により一部が屈曲している。この屈曲により第１スイッチ接続部５５ｄの一部がｙ方向に延びた形状になっている。第１スイッチ接続部５５ｄはｘ方向に直交する平面においてクランク形状を成している。
【０１３３】
第１基板接続部５５ｅは回路基板２０との接続の都合により、一部が屈曲している。この屈曲により第１基板接続部５５ｅは一部がｘ方向に延びた形状になっている。第１基板接続部５５ｅはｙ方向に直交する平面においてクランク形状を成している。なお第１基板接続部５５ｅは図１に示す分岐部位５１ａに相当する。
【０１３４】
＜第２給電バスバー＞
図５に示すように第２給電バスバー５２は、第２端子部５６ａ、第２本体部５６ｂ、および、第２離間部５６ｃを有する。第２端子部５６ａは第２本体部５６ｂを介して第２離間部５６ｃと一体的に連結されている。第２端子部５６ａと第２本体部５６ｂとの連結部位が屈曲している。第２本体部５６ｂと第２離間部５６ｃとの連結部位が屈曲している。
【０１３５】
この屈曲により、第２端子部５６ａの厚さ方向がｚ方向になっている。第２本体部５６ｂの厚さ方向がｙ方向になっている。第２端子部５６ａは第２本体部５６ｂとの連結部位から離れる態様でｙ方向に延びている。第２本体部５６ｂは第２端子部５６ａとの連結部位から離れる態様でｘ方向に延びている。
【０１３６】
第２端子部５６ａにはｚ方向に貫く貫通孔が形成されている。この貫通孔に第２外部接続端子１００ｂの接続ボルト７２が通される。第２端子部５６ａは第２外部接続端子１００ｂを介して第２ワイヤハーネス２２０と電気的に接続される。
【０１３７】
第２離間部５６ｃの厚さ方向はｘ方向になっている。第２離間部５６ｃは第２本体部５６ｂとの連結部位から離れる態様でｙ方向に延びている。第２離間部５６ｃと第２端子部５６ａそれぞれの第２本体部５６ｂからのｙ方向への延長方向は反対になっている。第２離間部５６ｃと第２端子部５６ａは互いに離間するようにｙ方向に延びている。
【０１３８】
図５に示すように第２本体部５６ｂから２つの第２スイッチ接続部５６ｄが延びている。２つの第２スイッチ接続部５６ｄはｘ方向に離間して並んでいる。２つの第２スイッチ接続部５６ｄはｚ方向に延びている。第２スイッチ接続部５６ｄの延長方向と第２本体部５６ｂの延長方向とが交差している。
【０１３９】
２つの第２スイッチ接続部５６ｄのうちの一方が第２本体部５６ｂから第１スイッチ３１へと向かってｚ方向に延びている。２つの第２スイッチ接続部５６ｄのうちの一方が第１スイッチ３１の第１開閉部６０ａと第２開閉部６０ｂそれぞれの第２接続端子６３に接続される。２つの第２スイッチ接続部５６ｄのうちの他方が第２本体部５６ｂから第２スイッチ３２へと向かってｚ方向に延びている。２つの第２スイッチ接続部５６ｄのうちの他方が第２スイッチ３２の第３開閉部６０ｃと第４開閉部６０ｄそれぞれの第１接続端子６２に接続される。
【０１４０】
第２離間部５６ｃから第２基板接続部５６ｅが延びている。第２基板接続部５６ｅの厚さ方向は第２離間部５６ｃと同様にしてｘ方向になっている。第２基板接続部５６ｅは第２離間部５６ｃから回路基板２０へと向かってｚ方向に延びている。第２基板接続部５６ｅが回路基板２０に接続される。
【０１４１】
なお、第２本体部５６ｂは、第２給電バスバー５２の第１スイッチ３１と第２スイッチ３２それぞれとの接続、および、収納部７４における第１給電バスバー５１と第３給電バスバー５３それぞれの配置の都合により一部が屈曲している。この屈曲により第２本体部５６ｂの一部がｙ方向に延びた形状になっている。第２本体部５６ｂはｚ方向に直交する平面においてクランク形状を成している。第２本体部５６ｂの屈曲部位は、ｘ方向において２つの第２スイッチ接続部５６ｄの間に位置している。
【０１４２】
２つの第２スイッチ接続部５６ｄのうちの他方は、第２給電バスバー５２の第１スイッチ３１と第２スイッチ３２それぞれとの接続、および、収納部７４における第１給電バスバー５１と第３給電バスバー５３それぞれの配置の都合により一部が屈曲している。この屈曲により２つの第２スイッチ接続部５６ｄのうちの他方の一部がｙ方向に延びた形状になっている。２つの第２スイッチ接続部５６ｄのうちの他方はｘ方向に直交する平面においてクランク形状を成している。なお２つの第２スイッチ接続部５６ｄのうちの他方が図１に示す分岐部位５２ａに相当する。第２基板接続部５６ｅが図１に示す分岐部位５２ｂに相当する。
【０１４３】
＜第３給電バスバー＞
図６に示すように第３給電バスバー５３は、第３端子部５７ａ、第３本体部５７ｂ、および、第３離間部５７ｃを有する。第３端子部５７ａは第３本体部５７ｂを介して第３離間部５７ｃと一体的に連結されている。第３端子部５７ａと第３本体部５７ｂとの連結部位が屈曲している。第３本体部５７ｂと第３離間部５７ｃとの連結部位が屈曲している。
【０１４４】
この屈曲により、第３端子部５７ａの厚さ方向がｚ方向になっている。第３本体部５７ｂの厚さ方向がｙ方向になっている。第３端子部５７ａは第３本体部５７ｂとの連結部位から離れる態様でｙ方向に延びている。第３本体部５７ｂは第３端子部５７ａとの連結部位から離れる態様でｘ方向に延びている。
【０１４５】
第３端子部５７ａにはｚ方向に貫く貫通孔が形成されている。組電池１０の出力端子１２にはｚ方向に貫く貫通孔が形成されている。バスバーケース７０にも貫通孔が形成されている。これら第３端子部５７ａ、出力端子１２、および、バスバーケース７０それぞれの貫通孔にボルトが通される。そしてこのボルトにナットが締結される。これにより第３給電バスバー５３と組電池１０とが電気的に接続されている。
【０１４６】
第３離間部５７ｃの厚さ方向はｘ方向になっている。第３離間部５７ｃは第３本体部５７ｂとの連結部位から離れる態様でｙ方向に延びている。第３離間部５７ｃと第３端子部５７ａそれぞれの第３本体部５７ｂからのｙ方向への延長方向は同一になっている。第３離間部５７ｃと第３端子部５７ａはｘ方向において離間して並んでいる。
【０１４７】
図６に示すように第３本体部５７ｂから第３スイッチ接続部５７ｄが延びている。第３スイッチ接続部５７ｄの厚さ方向は第３本体部５７ｂと同様にしてｙ方向になっている。第３スイッチ接続部５７ｄは第３本体部５７ｂから第２スイッチ３２へと向かってｚ方向に延びている。第３スイッチ接続部５７ｄは第２スイッチ３２の第３開閉部６０ｃと第４開閉部６０ｄそれぞれの第２接続端子６３に接続される。第３スイッチ接続部５７ｄの延長方向と第３本体部５７ｂの延長方向とが交差している。
【０１４８】
第３離間部５７ｃから第３基板接続部５７ｅが延びている。第３基板接続部５７ｅの厚さ方向は第３離間部５７ｃと同様にしてｘ方向になっている。第３基板接続部５７ｅは第３離間部５７ｃから回路基板２０へと向かってｚ方向に延びている。第３基板接続部５７ｅが回路基板２０に接続される。第３離間部５７ｃが図１に示す分岐部位５３ａに相当する。
【０１４９】
＜第４給電バスバー＞
図７に示すように第４給電バスバー５４は、第４端子部５８ａ、第４本体部５８ｂ、および、第４離間部５８ｃを有する。第４端子部５８ａは第４本体部５８ｂを介して第４離間部５８ｃと一体的に連結されている。第４端子部５８ａと第４本体部５８ｂとの連結部位が屈曲している。
【０１５０】
この屈曲により、第４端子部５８ａの厚さ方向がｚ方向になっている。第４本体部５８ｂの厚さ方向がｘ方向になっている。第４端子部５８ａは第４本体部５８ｂとの連結部位から離れる態様でｘ方向に延びている。第４本体部５８ｂは第４端子部５８ａとの連結部位から離れる態様でｚ方向に延びている。
【０１５１】
第４端子部５８ａにはｚ方向に貫く貫通孔が形成されている。この貫通孔に第４外部接続端子１００ｄの接続ボルト７２が通される。第４端子部５８ａは第４外部接続端子１００ｄを介して第１ワイヤハーネス２１０と電気的に接続される。
【０１５２】
第４本体部５８ｂと第４離間部５８ｃとの連結部位は屈曲していない。そのために第４離間部５８ｃの厚さ方向は第４本体部５８ｂと同様にしてｘ方向になっている。第４離間部５８ｃは第４本体部５８ｂから離れる態様でｙ方向に延びている。
【０１５３】
図７に示すように第４離間部５８ｃから第４基板接続部５８ｅが延びている。第４基板接続部５８ｅは第４離間部５８ｃから回路基板２０へと向かってｚ方向に延びている。第４基板接続部５８ｅが回路基板２０に接続される。
【０１５４】
なお、第４基板接続部５８ｅは、回路基板２０との接続、および、収納部７４における第１給電バスバー５１の配置の都合により一部が屈曲している。この屈曲により第４基板接続部５８ｅの一部がｘ方向に延びた形状になっている。第４基板接続部５８ｅはｙ方向に直交する平面においてクランク形状を成している。
【０１５５】
＜収納部と溝部＞
図８〜図１０に示すように収納部７４は、底部７５と第１回廊壁７６〜第５回廊壁８０を有する。底部７５はｚ方向に交差する載置面７５ａを有する。第１回廊壁７６〜第５回廊壁８０はこの載置面７５ａからｚ方向に起立している。そしてこれら５つの回廊壁はｘ方向とｙ方向に離間して並んでいる。これら底部７５とｘ方向およびｙ方向に離間して並ぶ５つの回廊壁とによって、第１給電バスバー５１〜第４給電バスバー５４それぞれを独立して収納する第１溝部８１〜第４溝部８４が構成されている。
【０１５６】
第１溝部８１〜第４溝部８４は２つの回廊壁と底部７５におけるこれら２つの回廊壁の間の部位によって構成される。隣り合う２つの回廊壁が載置面７５ａ上で平行に延びている。そして隣り合う２つの回廊壁のうちの一方の末端が他方に向けて延び、２つの回廊壁が連結されている。これにより４つの溝部はｚ方向に開口するとともにｘ方向若しくはｙ方向に開口し、ｘ方向若しくはｙ方向の開口から最も離れた末端が袋小路になっている。４つの溝部それぞれの形状は４つの給電バスバーそれぞれの溝部の収納部位の形状と相似になっている。
【０１５７】
第１溝部８１は第１回廊壁７６と第２回廊壁７７との間に構成されている。第２溝部８２は第２回廊壁７７と第３回廊壁７８との間に構成されている。第３溝部８３は第３回廊壁７８と第４回廊壁７９との間に構成されている。第４溝部８４は第１回廊壁７６と第５回廊壁８０との間に構成されている。
【０１５８】
そのために第２回廊壁７７は第１溝部８１と第２溝部８２それぞれの一部を構成するとともに、両者の中空の連通を遮っている。第３回廊壁７８は第２溝部８２と第３溝部８３それぞれの一部を構成するとともに、両者の中空の連通を遮っている。第１回廊壁７６は第４溝部８４と第１溝部８１それぞれの一部を構成するとともに、両者の中空の連通を遮っている。
【０１５９】
なお第１溝部８１〜第４溝部８４それぞれの一部を区画する載置面７５ａは、第１給電バスバー５１〜第４給電バスバー５４それぞれの溝部の収納部位の形状に応じてｘ方向とｙ方向とに延びるとともにｚ方向に傾斜している。
【０１６０】
＜給電バスバーの溝部の収納部位＞
第１溝部８１には、第１給電バスバー５１の第１本体部５５ｂの一部と第１離間部５５ｃが収納される。上記したように第１本体部５５ｂの一部が屈曲している。第１本体部５５ｂはこの屈曲部位を境として、第１端子部５５ａの連結される部位と、第１スイッチ接続部５５ｄの形成された部位とに分けられている。第１溝部８１にはこの第１本体部５５ｂにおける第１スイッチ接続部５５ｄの形成された部位が収納される。第１本体部５５ｂにおける第１端子部５５ａの連結された部位は第１溝部８１の外に位置している。第１溝部８１の一部を構成する第１回廊壁７６は第１本体部５５ｂの第１端子部５５ａ側と第１離間部５５ｃの形状に合わせて、ｚ方向に面する平面において略Ｌ字形状を成している。
【０１６１】
第２溝部８２には、第２給電バスバー５２の第２本体部５６ｂの一部と第２離間部５６ｃが収納される。第２溝部８２の一部を構成する第２回廊壁７７と第３回廊壁７８は、第２本体部５６ｂと第２離間部５６ｃの形状に合わせて、ｚ方向に面する平面において略Ｌ字形状を成している。第２回廊壁７７と第３回廊壁７８は、上記した第２本体部５６ｂの屈曲に合わせて、その一部が屈曲している。
【０１６２】
上記したように第２回廊壁７７は第１溝部８１と第２溝部８２それぞれの一部を構成している。そのために第２回廊壁７７は第１給電バスバー５１と第２給電バスバー５２との間に位置している。第２回廊壁７７によって第１給電バスバー５１と第２給電バスバー５２との沿面距離と空間距離が長くなっている。これにより第１給電バスバー５１と第２給電バスバー５２の短絡が抑制されている。
【０１６３】
第３溝部８３には、第３給電バスバー５３の第３本体部５７ｂの一部と第３離間部５７ｃが収納される。第３溝部８３の一部を構成する第４回廊壁７９は、第３本体部５７ｂの形状に合わせてｘ方向に延びている。そして第４回廊壁７９は、第３離間部５７ｃの形状に合わせて、第３回廊壁７８から離間するようにｙ方向に延びた後に折り返して第３回廊壁７８に向かって延びている。
【０１６４】
上記したように第３回廊壁７８は第２溝部８２と第３溝部８３それぞれの一部を構成している。そのために第３回廊壁７８は第２給電バスバー５２と第３給電バスバー５３との間に位置している。第３回廊壁７８によって第２給電バスバー５２と第３給電バスバー５３との沿面距離と空間距離が長くなっている。これにより第２給電バスバー５２と第３給電バスバー５３の短絡が抑制されている。
【０１６５】
第４溝部８４には、第４給電バスバー５４の第４離間部５８ｃの一部が収納される。第４溝部８４の一部を構成する第５回廊壁８０は、第４離間部５８ｃの形状に合わせて、ｚ方向に面する平面において略Ｌ字形状を成している。
【０１６６】
上記したように第１回廊壁７６は第４溝部８４と第１溝部８１それぞれの一部を構成している。そのために第１回廊壁７６は第４給電バスバー５４と第１給電バスバー５１との間に位置している。第１回廊壁７６によって第４給電バスバー５４と第１給電バスバー５１との沿面距離と空間距離が長くなっている。これにより第４給電バスバー５４と第１給電バスバー５１の短絡が抑制されている。
【０１６７】
図９と図１０に、第１溝部８１〜第４溝部８４に第１給電バスバー５１〜第４給電バスバー５４が収納されたバスバーモジュール１を示す。図９に示すように第１スイッチ接続部５５ｄ、２つの第２スイッチ接続部５６ｄ、および、第３スイッチ接続部５７ｄがｘ方向に並んでいる。そしてこれら３つのスイッチ接続部それぞれの有する、後述の端子接続部６７のｙ方向とｚ方向の位置が一致している。
【０１６８】
これら３つのスイッチ接続部の端子接続部６７はｘ方向に離間して並んでいる。これら３つのスイッチ接続部の端子接続部６７のｘ方向の離間距離は、上記した第１開閉部６０ａ〜第４開閉部６０ｄの備える第１接続端子６２および第２接続端子６３のｘ方向の離間間隔と同等になっている。
【０１６９】
また、第３基板接続部５７ｅがｘ方向において２つの第２スイッチ接続部５６ｄの間に位置している。第４基板接続部５８ｅ、第２基板接続部５６ｅ、および、第１基板接続部５５ｅがｘ方向で並んでいる。そしてこれら３つの基板接続部は第１スイッチ接続部５５ｄと２つの第２スイッチ接続部５６ｄのうちの一方それぞれを介して第３基板接続部５７ｅとｘ方向で並んでいる。図１０に示すように第４基板接続部５８ｅ、第１基板接続部５５ｅ、第２基板接続部５６ｅ、および、第３基板接続部５７ｅがｙ方向に順に並んでいる。
【０１７０】
＜本体部＞
図４〜図６に示すように第１給電バスバー５１〜第３給電バスバー５３それぞれの本体部はｘ方向に延びるとともにｚ方向に傾斜して延びている。これら３つの給電バスバーそれぞれの本体部は、端子部の連結部位、スイッチ接続部の形成部位、および、離間部の連結部位に細分化することができる。
【０１７１】
以下、表記を簡明とするために、第１給電バスバー５１〜第３給電バスバー５３それぞれの本体部を区別せずに単に本体部と示す。そして本体部における端子部の連結部位を第１連結部位８５、スイッチ接続部の形成部位を単に形成部位８６、離間部の連結部位を第２連結部位８７と示す。これら連結部位と形成部位を示す符号は、代表として図４〜図６に示している。
【０１７２】
形成部位８６は第１連結部位８５および第２連結部位８７それぞれよりも筐体９１の底壁９３側に位置している。第１連結部位８５と第２連結部位８７それぞれは形成部位８６から離間するようにｘ方向に延びるとともに、ｚ方向において側壁９４によって構成される開口側へと延びている。そのために第１連結部位８５と第２連結部位８７それぞれはｚ方向とｘ方向それぞれに対して傾斜した形状を成している。
【０１７３】
＜スイッチ接続部＞
このように形成部位８６が連結部位よりも底壁９３側に位置するのは、形成部位８６に形成されたスイッチ接続部が、分岐部６６と、分岐部６６に連結された２つの端子接続部６７と、を有するためである。この分岐部６６の分、スイッチ接続部がｚ方向に長くなっているためである。分岐部６６は２つの端子接続部６７に流れる電流を均等化する役割を果たしている。
【０１７４】
図４〜図６に示すように分岐部６６は形成部位８６からｚ方向に延びている。分岐部６６は図４〜図６に示すｚ方向に沿う対称軸ＡＳを介して線対称の形状になっている。対称軸ＡＳは分岐部６６の中心をｚ方向に貫いている。分岐部６６と形成部位８６との境における分岐部６６の延びる方向に対して直交する断面積と、形成部位８６における自身の延びる方向に対して直交する断面積とが等しくなっている。そのために分岐部６６と形成部位８６との境の単位長さ当たりの電気抵抗と、形成部位８６の単位長さ当たりの電気抵抗とが等しくなっている。
【０１７５】
２つの端子接続部６７は分岐部６６からｚ方向に延びている。２つの端子接続部６７はｘ方向で離間して並んでいる。２つの端子接続部６７それぞれの分岐部６６との連結部位の対称軸ＡＳからのｘ方向の離間距離が同一になっている。スイッチ接続部は対称軸ＡＳを介して線対称の形状となっている。
【０１７６】
分岐部６６における２つの端子接続部６７のうちの一方との境と形成部位８６との境との間の長さと、２つの端子接続部６７のうちの他方との境と形成部位８６との境との間の長さとが互いに等しくなっている。そのために分岐部６６における２つの端子接続部６７のうちの一方との境と形成部位８６との境との間の電気抵抗と、２つの端子接続部６７のうちの他方との境と形成部位８６との境との間の電気抵抗とが互いに等しくなっている。なお分岐部６６における形成部位８６との境の中心を上記の対称軸ＡＳが通っている。
【０１７７】
２つの端子接続部６７のうちの一方と分岐部６６との境、および、２つの端子接続部６７のうちの他方と分岐部６６との境それぞれにおいて、端子接続部６７の延びる方向に対して直交する断面積が相等しくなっている。これにより２つの端子接続部６７のうちの一方と分岐部６６との境、および、２つの端子接続部６７のうちの他方と分岐部６６との境それぞれの電気抵抗が等しくなっている。
【０１７８】
２つの端子接続部６７の分岐部６６から延びる長さが同一になっている。２つの端子接続部６７は同一形状を成している。そのために２つの端子接続部６７の電気抵抗が互いに等しくなっている。
【０１７９】
また上記したように第１スイッチ３１の有する第１開閉部６０ａと第２開閉部６０ｂは同一構成である。そのために第１開閉部６０ａと第２開閉部６０ｂは互いに電気抵抗が等しくなっている。同様にして第２スイッチ３２の有する第３開閉部６０ｃと第４開閉部６０ｄは同一構成である。そのために第３開閉部６０ｃと第４開閉部６０ｄは互いに電気抵抗が等しくなっている。
【０１８０】
なお、第１給電バスバー５１の第１スイッチ接続部５５ｄの２つの端子接続部６７は、上記の第１給電バスバー５１の第１スイッチ３１との接続、および、収納部７４における第２給電バスバー５２の配置の都合により一部が屈曲している。この屈曲により第１スイッチ接続部５５ｄの２つの端子接続部６７はｘ方向に直交する平面においてＬ字形状を成している。
【０１８１】
第２給電バスバー５２の２つの第２スイッチ接続部５６ｄのうちの他方の備える２つの端子接続部６７は、上記の第２スイッチ３２との接続、および、収納部７４における他の給電バスバーの配置の都合により一部が屈曲している。この屈曲により２つの第２スイッチ接続部５６ｄのうちの他方の備える２つの端子接続部６７はｘ方向に直交する平面においてＬ字形状を成している。
【０１８２】
以上に示した屈曲のため、第１給電バスバー５１〜第３給電バスバー５３それぞれの備える端子接続部６７の電気抵抗は必ずしも相等しくない。しかしながら第１給電バスバー５１の備える第１スイッチ接続部５５ｄの２つの端子接続部６７の電気抵抗は相等しくなっている。第２給電バスバー５２の備える２つの第２スイッチ接続部５６ｄのうちの一方の２つの端子接続部６７の電気抵抗は相等しくなっている。第２給電バスバー５２の備える２つの第２スイッチ接続部５６ｄのうちの他方の２つの端子接続部６７の電気抵抗は相等しくなっている。第３給電バスバー５３の備える第３スイッチ接続部５７ｄの２つの端子接続部６７の電気抵抗は相等しくなっている。
【０１８３】
係る電気抵抗を有する端子接続部６７が、図１２および図１３に示すように第１開閉部６０ａ〜第４開閉部６０ｄに接続される。すなわち第１開閉部６０ａと第２開閉部６０ｂの第１接続端子６２に第１スイッチ接続部５５ｄの端子接続部６７が接続される。第１開閉部６０ａと第２開閉部６０ｂの第２接続端子６３に２つの第２スイッチ接続部５６ｄのうちの一方の備える端子接続部６７が接続される。
【０１８４】
第１開閉部６０ａに接続される第１スイッチ接続部５５ｄの端子接続部６７と２つの第２スイッチ接続部５６ｄのうちの一方の端子接続部６７それぞれの電気抵抗を合算した値が第１合算抵抗値になる。第２開閉部６０ｂに接続される第１スイッチ接続部５５ｄの端子接続部６７と２つの第２スイッチ接続部５６ｄのうちの一方の端子接続部６７それぞれの電気抵抗を合算した値が第２合算抵抗値になる。これら第１合算抵抗値と第２合算抵抗値とは相等しくなっている。
【０１８５】
また、第３開閉部６０ｃと第４開閉部６０ｄの第１接続端子６２に２つの第２スイッチ接続部５６ｄのうちの他方の備える端子接続部６７が接続される。第３開閉部６０ｃと第４開閉部６０ｄの第２接続端子６３に第３スイッチ接続部５７ｄの端子接続部６７が接続される。
【０１８６】
第３開閉部６０ｃに接続される２つの第２スイッチ接続部５６ｄのうちの他方の端子接続部６７と第３スイッチ接続部５７ｄの端子接続部６７それぞれの電気抵抗を合算した値が第３合算抵抗値になる。第４開閉部６０ｄに接続される２つの第２スイッチ接続部５６ｄのうちの他方の端子接続部６７と第３スイッチ接続部５７ｄの端子接続部６７それぞれの電気抵抗を合算した値が第４合算抵抗値になる。これら第３合算抵抗値と第４合算抵抗値とは相等しくなっている。
【０１８７】
以上に示した電気抵抗の関係により、第１開閉部６０ａを介した第１給電バスバー５１と第２給電バスバー５２との間の通電経路と、第２開閉部６０ｂを介した第１給電バスバー５１と第２給電バスバー５２との間の通電経路の電気抵抗が相等しくなっている。そのために第１開閉部６０ａと第２開閉部６０ｂに同等の電流が流れることが期待される。
【０１８８】
同様にして、第３開閉部６０ｃを介した第２給電バスバー５２と第３給電バスバー５３との間の通電経路と、第４開閉部６０ｄを介した第２給電バスバー５２と第３給電バスバー５３との間の通電経路の電気抵抗が相等しくなっている。そのために第３開閉部６０ｃと第４開閉部６０ｄに同等の電流が流れることが期待される。
【０１８９】
＜等価回路＞
図１１に、第１開閉部６０ａを介した第１給電バスバー５１と第２給電バスバー５２との間の通電経路と、第２開閉部６０ｂを介した第１給電バスバー５１と第２給電バスバー５２との間の通電経路とを模式的に示す。この模式図では、通電経路の経路長が電気抵抗と比例の関係にある。
【０１９０】
図１１に示すように、第１スイッチ接続部５５ｄの分岐部６６の中心に第１本体部５５ｂが接続されている。そして第１スイッチ接続部５５ｄの備える２つの端子接続部６７それぞれの分岐部６６からの延長部位と分岐部６６の中心との離間距離が同等になっている。第１スイッチ接続部５５ｄの備える２つの端子接続部６７それぞれの分岐部６６から延びる長さが同一になっている。
【０１９１】
同様にして、２つの第２スイッチ接続部５６ｄのうちの一方の分岐部６６の中心に第２本体部５６ｂが接続されている。そして２つの第２スイッチ接続部５６ｄのうちの一方の備える２つの端子接続部６７それぞれの分岐部６６からの延長部位と分岐部６６の中心との離間距離が同等になっている。２つの第２スイッチ接続部５６ｄのうちの一方の備える２つの端子接続部６７それぞれの分岐部６６から延びる長さが同一になっている。
【０１９２】
以下、表記を簡明とするために、第１スイッチ接続部５５ｄにおける分岐部６６の中心と２つの端子接続部６７のうちの一方の先端との間の通電経路を第１経路と示す。第１スイッチ接続部５５ｄにおける分岐部６６の中心と２つの端子接続部６７のうちの他方の先端との間の通電経路を第２経路と示す。２つの第２スイッチ接続部５６ｄのうちの一方における分岐部６６の中心と２つの端子接続部６７のうちの一方の先端との間の通電経路を第３経路と示す。２つの第２スイッチ接続部５６ｄのうちの一方における分岐部６６の中心と２つの端子接続部６７のうちの他方の先端との間の通電経路を第４経路と示す。
【０１９３】
そして第１経路の電気抵抗を第１経路抵抗Ｒ１ａと示す。第２経路の電気抵抗を第２経路抵抗Ｒ１ｂと示す。第３経路の電気抵抗を第３経路抵抗Ｒ２ａと示す。第４経路の電気抵抗を第４経路抵抗Ｒ２ｂと示す。
【０１９４】
これまでに重複を厭わずに説明してきた長さと電気抵抗の関係のため、第１経路抵抗Ｒ１ａと第２経路抵抗Ｒ１ｂは等しくなっている。第３経路抵抗Ｒ２ａと第４経路抵抗Ｒ２ｂは等しくなっている。
【０１９５】
第１開閉部６０ａと第２開閉部６０ｂは同一製品である。そのために第１開閉部６０ａと第２開閉部６０ｂの電気抵抗は同等になっていることが期待される。そして第１開閉部６０ａと第２開閉部６０ｂそれぞれの端子接続部６７との接触抵抗は同等となるように製造される。
【０１９６】
以上により、第１開閉部６０ａを介した第１給電バスバー５１と第２給電バスバー５２との間の通電経路と、第２開閉部６０ｂを介した第１給電バスバー５１と第２給電バスバー５２との間の通電経路それぞれの電気抵抗が等しくなっている。これは、第３開閉部６０ｃと第４開閉部６０ｄでも同等である。
【０１９７】
＜開閉部に流れる電流＞
以上に示した電気抵抗の関係のため、例えば第１スイッチ３１の第１開閉部６０ａと第２開閉部６０ｂそれぞれを閉状態にして、蓄電池１１０から回転電機１３０に給電する場合、図１２に矢印で示すように電流が流れる。すなわち、実線矢印で示すように電流は第１端子部５５ａから第１本体部５５ｂに流れる。そして電流は第１本体部５５ｂから第１スイッチ接続部５５ｄに流れる。この電流は第１スイッチ接続部５５ｄの分岐部６６によって２つに分流される。
【０１９８】
破線矢印で示すように、２つに分流された電流のうちの一方が２つの端子接続部６７のうちの一方を介して第１開閉部６０ａに流れる。一点鎖線矢印で示すように、２つに分流された電流のうちの他方が２つの端子接続部６７のうちの他方を介して第２開閉部６０ｂに流れる。
【０１９９】
第１開閉部６０ａに流れた電流は、第２給電バスバー５２の有する２つの第２スイッチ接続部５６ｄのうちの一方の備える２つの端子接続部６７のうちの一方に流れる。第２開閉部６０ｂに流れた電流は、第２給電バスバー５２の有する２つの第２スイッチ接続部５６ｄのうちの一方の備える２つの端子接続部６７のうちの他方に流れる。
【０２００】
これら２つの第２スイッチ接続部５６ｄのうちの一方の備える２つの端子接続部６７に流れた電流は、２つの第２スイッチ接続部５６ｄのうちの一方の備える分岐部６６に流れこむ。これにより２つの電流が分岐部６６で合流する。実線矢印で示すように、合流した電流は第２本体部５６ｂを介して第２端子部５６ａに流れ込む。
【０２０１】
以上に示したように第１開閉部６０ａと第２開閉部６０ｂとを介して、第１給電バスバー５１から第２給電バスバー５２へと電流が流れる。破線矢印で示した第１開閉部６０ａを流れる電流と、一点鎖線矢印で示した第２開閉部６０ｂに流れる電流は、上記した電気抵抗の関係のために等しくなっている。
【０２０２】
さらに例示すれば、例えば第２スイッチ３２の第３開閉部６０ｃと第４開閉部６０ｄを閉状態にして、組電池１０から回転電機１３０に給電する場合、図１３に矢印で示すように電流が流れる。すなわち、実線矢印で示すように電流は第３端子部５７ａから第３本体部５７ｂに流れる。そして電流は第３本体部５７ｂから第３スイッチ接続部５７ｄに流れる。この電流は第３スイッチ接続部５７ｄの分岐部６６によって２つに分流される。
【０２０３】
破線矢印で示すように、２つに分流された電流のうちの一方が２つの端子接続部６７のうちの一方を介して第３開閉部６０ｃに流れる。一点鎖線矢印で示すように、２つに分流された電流のうちの他方が２つの端子接続部６７のうちの他方を介して第４開閉部６０ｄに流れる。
【０２０４】
第３開閉部６０ｃに流れた電流は、第２給電バスバー５２の有する２つの第２スイッチ接続部５６ｄのうちの他方の備える２つの端子接続部６７のうちの一方に流れる。第２開閉部６０ｂに流れた電流は、第２給電バスバー５２の有する２つの第２スイッチ接続部５６ｄのうちの他方の備える２つの端子接続部６７のうちの他方に流れる。
【０２０５】
これら２つの第２スイッチ接続部５６ｄのうちの他方の備える２つの端子接続部６７に流れた電流は、２つの第２スイッチ接続部５６ｄのうちの他方の備える分岐部６６に流れこむ。これにより２つの電流が分岐部６６で合流する。実線矢印で示すように、合流した電流は第２本体部５６ｂを介して第２端子部５６ａに流れ込む。
【０２０６】
以上に示したように第３開閉部６０ｃと第４開閉部６０ｄとを介して、第３給電バスバー５３から第２給電バスバー５２へと電流が流れる。破線矢印で示した第３開閉部６０ｃを流れる電流と、一点鎖線矢印で示した第４開閉部６０ｄに流れる電流は、上記した電気抵抗の関係のために等しくなっている。
【０２０７】
＜作用効果＞
上記したように、本体部に形成されたスイッチ接続部が、分岐部６６と２つの端子接続部６７を有する。分岐部６６における本体部と２つの端子接続部６７との間の離間距離が等しくなっている。これにより分岐部６６によって本体部と２つの端子接続部６７との間の電気抵抗が同等になっている。このために分岐部６６によって本体部に流れる電流が２つの端子接続部６７に等分配されやすくなっている。
【０２０８】
そして第１開閉部６０ａに接続される２つの端子接続部６７それぞれの電気抵抗を合算した第１合算抵抗値と、第２開閉部６０ｂに接続される２つの端子接続部６７それぞれの電気抵抗を合算した第２合算抵抗値とが相等しくなっている。第３開閉部６０ｃに接続される２つの端子接続部６７それぞれの電気抵抗を合算した第３合算抵抗値と、第４開閉部６０ｄに接続される２つの端子接続部６７それぞれの電気抵抗を合算した第４合算抵抗値とが相等しくなっている。各開閉部と端子接続部６７との接続抵抗は同等になっている。
【０２０９】
以上により、第１開閉部６０ａを介した第１給電バスバー５１と第２給電バスバー５２との間の通電経路と、第２開閉部６０ｂを介した第１給電バスバー５１と第２給電バスバー５２との間の通電経路の電気抵抗が等しくなっている。第３開閉部６０ｃを介した第２給電バスバー５２と第３給電バスバー５３との間の通電経路と、第４開閉部６０ｄを介した第２給電バスバー５２と第３給電バスバー５３との間の通電経路の電気抵抗が等しくなっている。
【０２１０】
そのため、第１開閉部６０ａに流れる電流と第２開閉部６０ｂに流れる電流とに偏りが生じることが抑制される。第３開閉部６０ｃに流れる電流と第４開閉部６０ｄに流れる電流とに偏りが生じることが抑制される。これにより第１開閉部６０ａと第２開閉部６０ｂの寿命にバラツキが生じることが抑制される。第３開閉部６０ｃと第４開閉部６０ｄの寿命にバラツキが生じることが抑制される。これら４つの開閉部のうちの１つの極端な寿命低下によって、電池パック１００が機能不全となることが抑制される。
【０２１１】
第１給電バスバー５１の有する第１スイッチ接続部５５ｄは、第１スイッチ接続部５５ｄの有する分岐部６６の中心を通る対称軸ＡＳを介して線対称の形状となっている。第２給電バスバー５２の有する２つの第２スイッチ接続部５６ｄそれぞれも、自身の有する分岐部６６の中心を通る対称軸ＡＳを介して線対称の形状となっている。これによりこれらスイッチ接続部の形状が簡素化される。
【０２１２】
なお、第１スイッチ接続部５５ｄの有する分岐部６６の中心を通る対称軸ＡＳが第１対称軸に相当する。第２給電バスバー５２の有する２つの第２スイッチ接続部５６ｄのうちの一方の有する分岐部６６の中心を通る対称軸ＡＳが第２対称軸に相当する。
【０２１３】
また、第２給電バスバー５２の有する２つの第２スイッチ接続部５６ｄのうちの他方の有する分岐部６６の中心を通る対称軸ＡＳが第１対称軸に相当する。第３スイッチ接続部５７ｄの有する分岐部６６の中心を通る対称軸ＡＳが第２対称軸に相当する。
【０２１４】
第１スイッチ接続部５５ｄの有する２つの端子接続部６７の形状が相等しくなっている。２つの第２スイッチ接続部５６ｄのうちの一方の有する２つの端子接続部６７の形状が相等しくなっている。また、２つの第２スイッチ接続部５６ｄのうちの他方の有する２つの端子接続部６７の形状が相等しくなっている。これにより端子接続部６７の形状が簡素化される。
【０２１５】
本実施形態では、各種部品の形状や電気抵抗が等しい例を示した。しかしながら、現実には、製造誤差のために各種部品の形状や電気抵抗が全く等しくはならない。「形状が等しい」「電気抵抗が等しい」とは、製造誤差の範囲内において形状が等しいこと、および、電気抵抗が等しいことを示している。製造誤差は狙い値の±５％程度である。
【０２１６】
＜電磁ノイズの打消し＞
上記したように第１開閉部６０ａ〜第４開閉部６０ｄそれぞれの第１接続端子６２の他端側と第２接続端子６３の他端側がｘ方向に順に並んでいる。これら計８つの接続端子の他端側のｙ方向とｚ方向の位置が一致している。そしてこれら接続端子の他端側に接続される、第１スイッチ接続部５５ｄ、２つの第２スイッチ接続部５６ｄ、および、第３スイッチ接続部５７ｄそれぞれの端子接続部６７もｘ方向に並んでいる。これら計８つの端子接続部６７の接続端子との接続部位のｙ方向とｚ方向の位置が一致している。
【０２１７】
詳しく言えば、第１開閉部６０ａの第１接続端子６２に接続される第１スイッチ接続部５５ｄの端子接続部６７と、第１開閉部６０ａの第２接続端子６３に接続される第２スイッチ接続部５６ｄの端子接続部６７とがｘ方向で離間しつつ対向する態様で並んでいる。
【０２１８】
例えば図１２に示す電流が第１開閉部６０ａに流れる場合、第１開閉部６０ａの第１接続端子６２に接続される第１スイッチ接続部５５ｄの端子接続部６７に流れる電流は、第１開閉部６０ａへと向かって流れる。これに対して第１開閉部６０ａの第２接続端子６３に接続される第２スイッチ接続部５６ｄの端子接続部６７に流れる電流は、第１開閉部６０ａから流れ出るように流れる。
【０２１９】
そのために図１７において実線矢印で示すようにこれら２つの端子接続部６７に流れる電流の流動方向が逆向きになっている。そしてこれら２つの端子接続部６７はｘ方向で隣り合って並んでいる。そのためにこれら２つの端子接続部６７に流れる電流から発生する電磁ノイズは相互に打ち消し合っている。
【０２２０】
図１７に示すように、第２開閉部６０ｂ〜第４開閉部６０ｄそれぞれに接続される２つの端子接続部６７のｘ方向の並びと電流の流動方向は、第１開閉部６０ａに接続される２つの端子接続部６７のｘ方向の並びと電流の流動方向と同等である。そのために上記した電磁ノイズの打ち消しは、第２開閉部６０ｂ〜第４開閉部６０ｄにおいても生じている。
【０２２１】
また、第１開閉部６０ａと第２開閉部６０ｂがｘ方向で離間して並んでいる。第１開閉部６０ａの第２接続端子６３に接続される第２スイッチ接続部５６ｄの端子接続部６７と、第２開閉部６０ｂの第１接続端子６２に接続される第１スイッチ接続部５５ｄの端子接続部６７とがｘ方向で離間しつつ対向する態様で並んでいる。
【０２２２】
図１２に示す電流が流れる場合、第１開閉部６０ａの第２接続端子６３に接続される第２スイッチ接続部５６ｄの端子接続部６７に流れる電流は第１開閉部６０ａから流れ出るように流れる。これに対して第２開閉部６０ｂの第１接続端子６２に接続される第１スイッチ接続部５５ｄの端子接続部６７に流れる電流は第２開閉部６０ｂへ向かって流れる。そのために図１７に示すようにこれら２つの端子接続部６７に流れる電流の流動方向が逆向きになっている。これら２つの端子接続部６７はｘ方向で隣り合って並んでいる。したがってこれら２つの端子接続部６７に流れる電流から発生する電磁ノイズも相互に打ち消し合っている。
【０２２３】
これまでに説明したように第１開閉部６０ａに流れる電流と第２開閉部６０ｂに流れる電流とに偏りが生じることが抑制されている。そのために第１開閉部６０ａの第２接続端子６３に接続された端子接続部６７に流れる電流から発生する電磁ノイズと、第２開閉部６０ｂの第１接続端子６２に接続された端子接続部６７に流れる電流から発生する電磁ノイズとが打ち消し合いやすくなっている。
【０２２４】
第３開閉部６０ｃと第４開閉部６０ｄの並びは、第１開閉部６０ａと第２開閉部６０ｂの並びと同等である。第３開閉部６０ｃの第２接続端子６３に接続される第３スイッチ接続部５７ｄの端子接続部６７と、第４開閉部６０ｄの第１接続端子６２に接続される第２スイッチ接続部５６ｄの端子接続部６７とがｘ方向で隣り合って並んでいる。そのためにこれら２つの端子接続部６７に流れる電流から発生する電磁ノイズも相互に打ち消し合っている。
【０２２５】
また第３開閉部６０ｃに流れる電流と第４開閉部６０ｄに流れる電流とに偏りが生じることが抑制されている。そのために第３開閉部６０ｃの第２接続端子６３に接続された端子接続部６７に流れる電流から発生する電磁ノイズと、第４開閉部６０ｄの第１接続端子６２に接続された端子接続部６７に流れる電流から発生する電磁ノイズとが打ち消し合いやすくなっている。以上に示した電磁ノイズの打消しは、ｘ方向で隣り合って並ぶ第２開閉部６０ｂと第３開閉部６０ｃに接続された２つの端子接続部６７の間でも生じる。
【０２２６】
上記したように第１給電バスバー５１の第１本体部５５ｂが第１溝部８１に収納される。第２給電バスバー５２の第２本体部５６ｂが第２溝部８２に収納される。これら第１溝部８１と第２溝部８２それぞれの一部を構成する第２回廊壁７７が第１本体部５５ｂと第２本体部５６ｂとの間に位置している。第１本体部５５ｂと第２本体部５６ｂは隣り合って並んでいる。第１本体部５５ｂに連結された第１端子部５５ａと第２本体部５６ｂに連結された第２端子部５６ａはｘ方向で隣り合って並んでいる。
【０２２７】
例えば図１２に示す電流が流れる場合、第１本体部５５ｂでは第１端子部５５ａから第１スイッチ接続部５５ｄへと向かう電流が流れる。これに対して第２本体部５６ｂでは第２スイッチ接続部５６ｄから第２端子部５６ａへと向かう電流が流れる。このため、第１本体部５５ｂに流れる電流と第２本体部５６ｂに流れる電流の流動方向が逆向きになっている。そしてこれら２つの本体部は隣り合って並んでいる。そのためにこれら２つの本体部に流れる電流から発生する電磁ノイズが相互に打ち消し合っている。
【０２２８】
第２本体部５６ｂと第３本体部５７ｂの並びは、第１本体部５５ｂと第２本体部５６ｂの並びと同等である。そのために係る電磁ノイズの打消しは、第２本体部５６ｂと第３本体部５７ｂの間でも生じている。
【０２２９】
以上に示した給電バスバーの形状と配置のため、給電バスバーを流れる電流から発生する電磁ノイズが相互に打消し合っている。したがって、この電磁ノイズによって例えば以下に示すような不具合の生じることが抑制される。
【０２３０】
上記したように配線基板２１に搭載される第５スイッチ３５と第６スイッチ３６はメカニカルリレーである。これら第５スイッチ３５と第６スイッチ３６それぞれは、配線基板２１の給電線に設けられた２つの端子部と、これら２つの端子部を架橋する態様で接続する接続点と、を有する。またこれら２つのスイッチは、２つの端子部に向かう付勢力を接続点に付与するバネ体と、２つの端子部から離間する電磁力を接続点に付与するコイルと、を有する。
【０２３１】
ハイレベルの制御信号の入力によってコイルに電流が流れると接続点に電磁力が発生する。これにより接続点はバネ体の付勢力に抗しながら２つの端子部から離間する。この結果、第５スイッチ３５と第６スイッチ３６は開状態になる。しかしながらローレベルの制御信号が入力されるとコイルに電流が流れなくなる。接続点に発生していた電磁力が消失する。これにより接続点はバネ体の付勢力によって２つの端子部と接触する。この結果、第５スイッチ３５と第６スイッチ３６は閉状態になる。
【０２３２】
したがってローレベルの制御信号が入力されている際に、第５スイッチ３５と第６スイッチ３６のコイルに電磁ノイズに起因する電流が流れると、それによって接続点に電磁力が発生する。これにより接続点が端子部から離間する。この電磁力が弱まると接続点はバネ体の付勢力によって端子部に接触する。この接続点の端子部からの離間と、接続点の端子部との接触が電磁ノイズによって繰り返されると、第５スイッチ３５と第６スイッチ３６から異音が発生する。
【０２３３】
しかしながら、上記したように給電バスバーを流れる電流から発生する電磁ノイズが打ち消されやすくなっている。そのためにこの電磁ノイズによって第５スイッチ３５と第６スイッチ３６から異音が発生することが抑制される。
【０２３４】
以上、本開示の好ましい実施形態について説明したが、本開示は上記した実施形態になんら制限されることなく、本開示の主旨を逸脱しない範囲において、種々変形して実施することが可能である。
【０２３５】
（第１の変形例）
本実施形態では、第１経路抵抗Ｒ１ａと第２経路抵抗Ｒ１ｂが等しく、第３経路抵抗Ｒ２ａと第４経路抵抗Ｒ２ｂが等しい例を示した。そのために第１経路抵抗Ｒ１ａと第３経路抵抗Ｒ２ａの合算値と、第２経路抵抗Ｒ１ｂと第４経路抵抗Ｒ２ｂの合算値とが等しい例を示した。
【０２３６】
これに対して例えば図１４の（ａ）欄に示すように、第１経路〜第４経路それぞれの形状と経路長が等しいために、第１経路抵抗Ｒ１ａ、第２経路抵抗Ｒ１ｂ、第３経路抵抗Ｒ２ａ、第４経路抵抗Ｒ２ｂそれぞれが相等しい構成を採用することができる。これによっても第１経路抵抗Ｒ１ａと第３経路抵抗Ｒ２ａの合算値と、第２経路抵抗Ｒ１ｂと第４経路抵抗Ｒ２ｂの合算値とが等しくなる。
【０２３７】
（第２の変形例）
本実施形態では、図１１に示すように分岐部６６の中心に本体部が接続される例を示した。そして２つの端子接続部６７それぞれの分岐部６６からの延長部位と分岐部６６の中心との離間距離が同等の例を示した。これにより第１経路抵抗Ｒ１ａと第２経路抵抗Ｒ１ｂが等しく、第３経路抵抗Ｒ２ａと第４経路抵抗Ｒ２ｂが等しい例を示した。
【０２３８】
しかしながら例えば図１４の（ｂ）欄に示すように、分岐部６６の中心からずれた位置に本体部が接続された構成を採用することもできる。そして２つの端子接続部６７それぞれの分岐部６６からの延長部位と分岐部６６の中心との離間距離が異なる構成を採用することもできる。
【０２３９】
この変形例では、第１経路と第４経路それぞれの長さが相等しくなっている。第２経路と第３経路それぞれの長さが相等しくなっている。そのために第１経路抵抗Ｒ１ａと第４経路抵抗Ｒ２ｂが等しくなっている。第２経路抵抗Ｒ１ｂと第３経路抵抗Ｒ２ａが等しくなっている。これにより第１経路抵抗Ｒ１ａと第３経路抵抗Ｒ２ａの合算値と、第２経路抵抗Ｒ１ｂと第４経路抵抗Ｒ２ｂの合算値とが等しくなっている。そのため、第１開閉部６０ａを介した第１給電バスバー５１と第２給電バスバー５２との間の通電経路と、第２開閉部６０ｂを介した第１給電バスバー５１と第２給電バスバー５２との間の通電経路それぞれの電気抵抗が等しくなっている。
【０２４０】
（第３の変形例）
本実施形態では、図１１に白抜きの丸で示すように、各給電バスバーが外部接続端子との接続部位である端子部を１つ有する例を示した。しかしながら例えば図１５に示すように各給電バスバーが２つの端子部を有してもよい。上記したように開閉部を介した２つの通電経路の電気抵抗が等しくなっている。そのために２つの第１端子部５５ａのうちの任意の１つと、２つの第２端子部５６ａのうちの任意の１つとの間で電流が流れる際に、各開閉部に同等の電流が流れることが期待される。
【０２４１】
（第４の変形例）
本実施形態では、３つの給電バスバーそれぞれの本体部が、第１連結部位８５、形成部位８６、および、第２連結部位８７を有し、形成部位８６が第１連結部位８５および第２連結部位８７それぞれよりもｚ方向において底壁９３側に位置する例を示した。しかしながら形成部位８６に対する第１連結部位８５と第２連結部位８７のｚ方向の位置は上記例に限定されない。図１６の（ａ）欄に形成部位８６が第２連結部位８７よりもｚ方向において底壁９３側に位置する形態を示す。図１６の（ｂ）欄に形成部位８６と第２連結部位８７のｚ方向の位置が同等の形態を示す。図１６の（ｃ）欄に形成部位８６が第２連結部位８７よりもｚ方向において底壁９３から離間した形態を示す。
【０２４２】
（第５の変形例）
本実施形態では分岐部６６から２つの端子接続部６７が延びる例を示した。しかしながら端子接続部６７の数としては上記例に限定されない。２つの給電バスバー間に並列接続される開閉部の数に応じて適宜変更することができる。端子接続部６７の数としては３つ以上を採用することもできる。また、２つの端子接続部６７から複数の接続部が分岐する構成を採用することもできる。
【０２４３】
なお、２つの給電バスバー間に並列接続される素子としては、開閉部のように２つの半導体スイッチが直列接続されたものに限定されない。１つの半導体スイッチ若しくは１つのメカニカルリレーを備えるスイッチが２つの給電バスバー間で並列接続された構成を採用することもできる。
【０２４４】
（第６の変形例）
本実施形態では特に開閉部の異常判定について述べていなかった。しかしながら、例えば以下に示すように開閉部の異常を判定してもよい。
【０２４５】
例えばＢＭＵ２２は第１開閉部６０ａと第２開閉部６０ｂそれぞれの備える直列接続された２つのＭＯＳＦＥＴの間に設けられたシャント抵抗の両端電圧を検出する。ＢＭＵ２２は検出した両端電圧とシャント抵抗の抵抗値とに基づいて、第１開閉部６０ａと第２開閉部６０ｂそれぞれに流れる電流を個別に検出する。ＢＭＵ２２は検出した２つの電流を減算した値、若しくは、除算した値を、検出値として算出する。ＢＭＵ２２は算出した検出値が閾値を超える場合、第１開閉部６０ａと第２開閉部６０ｂのいずれか一方に異常が生じていると判定する。このように開閉部の異常を判定してもよい。
【０２４６】
上記したように、第１開閉部６０ａと第２開閉部６０ｂそれぞれを介した第１給電バスバー５１と第２給電バスバー５２との間の通電経路の電気抵抗が同等になっている。そのために上記の検出値がわずかに変化するだけで第１スイッチ３１の異常を判定することができる。このようにスイッチ３０の異常判定精度の向上が見込まれる。
【０２４７】
（その他の変形例）
各実施形態では組電池１０が５つの電池セルを有する例を示した。しかしながら組電池１０は複数の電池セルを有すればよく、上記例に限定されない。また電池スタックの数としても、２つではなく１つ若しくは３つ以上を採用することもできる。さらに言えば、電池セルがｘ方向に並ぶことで電池スタックが構成されてもよい。
【０２４８】
各実施形態では電源システム２００を搭載する車両がアイドルストップ機能を有する例を示した。しかしながら電源システム２００を搭載する車両としては上記例に限定されない。例えばハイブリッド自動車や電気自動車を採用することができる。この場合、本実施形態で示したスタータモータ１２０や回転電機１３０は、モータジェネレータに代わる。
【符号の説明】
【０２４９】
１…バスバーモジュール、１０…組電池、３０…スイッチ、５１…第１給電バスバー、５２…第２給電バスバー、５３…第３給電バスバー、５５ｂ…第１本体部、５６ｂ…第２本体部、５７ｂ…第３本体部、６０ａ…第１開閉部、６０ｂ…第２開閉部、６０ｃ…第３開閉部、６０ｄ…第４開閉部、６２…第１接続端子、６３…第２接続端子、６６…分岐部、６７…端子接続部、１１０…蓄電池、１２０…スタータモータ、１３０…回転電機、１５０…電気負荷、１６０…上位ＥＣＵ、２００…電源システム
【図１】
2020061351.tif 000003
【図２】
2020061351.tif 000004
【図３】
2020061351.tif 000005
【図４】
2020061351.tif 000006
【図５】
2020061351.tif 000007
【図６】
2020061351.tif 000008
【図７】
2020061351.tif 000009
【図８】
2020061351.tif 000010
【図９】
2020061351.tif 000011
【図１０】
2020061351.tif 000012
【図１１】
2020061351.tif 000013
【図１２】
2020061351.tif 000014
【図１３】
2020061351.tif 000015
【図１４】
2020061351.tif 000016
【図１５】
2020061351.tif 000017
【図１６】
2020061351.tif 000018
【図１７】
2020061351.tif 000019